(57)【要約】  本願の実施例は信号伝送方法、ネットワーク装置及び端末装置を提供する。該方法は、ネットワーク装置は第１キャリアを検出し、検出結果に応じてＭ１個の時間周波数リソースから、チャネル使用権を取得した第１時間周波数リソースを決定し、前記Ｍ１個の時間周波数リソースは前記ネットワーク装置が前記第１キャリアでの第１周期に対して構成した、第１同期信号ブロック（ＳＳＢ）の伝送に使用できる時間周波数リソースであり、Ｍ１が正の整数であって、Ｍ１≧２であることと、前記ネットワーク装置が前記第１時間周波数リソースによって前記第１ＳＳＢを端末装置に送信することと、を含む。
2021517416.tif 000002
【特許請求の範囲】
【請求項１】
信号伝送方法であって、
ネットワーク装置は第１キャリアを検出し、検出結果に応じてＭ１個の時間周波数リソースから、チャネル使用権を取得した第１時間周波数リソースを決定し、前記Ｍ１個の時間周波数リソースは前記ネットワーク装置が前記第１キャリアでの第１周期に対して構成した、第１同期信号ブロック（ＳＳＢ）の伝送に使用できる時間周波数リソースであり、Ｍ１が正の整数であって、Ｍ１≧２であることと、
前記ネットワーク装置は前記第１時間周波数リソースによって前記第１ＳＳＢを端末装置に送信することと、を含むことを特徴とする信号伝送方法。
【請求項２】
前記ネットワーク装置が前記第１周期内に前記第１ＳＳＢを送信する最大回数はＮ１であり、Ｎ１が正の整数であって、１≦Ｎ１＜Ｍ１であることを特徴とする請求項１に記載の方法。
【請求項３】
前記ネットワーク装置が前記第１周期内に前記第１時間周波数リソースの前に前記第１ＳＳＢを送信する回数はＮ１未満であることを特徴とする請求項２に記載の方法。
【請求項４】
前記方法は更に、
前記ネットワーク装置は前記Ｍ１個の時間周波数リソースのうち第２時間周波数リソースよりも遅い時間周波数リソースにおいて前記第１ＳＳＢを送信しないことを含み、
前記第２時間周波数リソースは、前記Ｍ１個の時間周波数リソースのうち前記ネットワーク装置が前記第１ＳＳＢをＮ１回目送信する時間周波数リソースであることを特徴とする請求項２又は３に記載の方法。
【請求項５】
前記第１時間周波数リソースはＫ１個の時間周波数リソースのうちの１つの時間周波数リソースであり、前記Ｋ１個の時間周波数リソースは前記Ｍ１個の時間周波数リソースのうち前記第１ＳＳＢの送信に使用される時間周波数リソースであり、Ｋ１が正の整数であって、１≦Ｋ１≦Ｎ１であることを特徴とする請求項２〜４のいずれか一項に記載の方法。
【請求項６】
前記Ｋ１個の時間周波数リソースは前記Ｍ１個の時間周波数リソースのうち前記ネットワーク装置がチャネル使用権を取得した先頭Ｋ１個の時間周波数リソースであることを特徴とする請求項５に記載の方法。
【請求項７】
前記第１周期はＭ１個のサブ周期を含み、前記Ｍ１個のサブ周期のそれぞれは前記Ｍ１個の時間周波数リソースのうちの１つの時間周波数リソースを含み、前記Ｍ１個のサブ周期は前記Ｍ１個の時間周波数リソースに一対一対応することを特徴とする請求項１〜６のいずれか一項に記載の方法。
【請求項８】
第３時間周波数リソースの第１サブ周期での位置と第４時間周波数リソースの第２サブ周期での位置は同じであり、第３時間周波数リソース及び第４時間周波数リソースは前記Ｍ１個の時間周波数リソースのうち異なる２つの時間周波数リソースであり、前記第３時間周波数リソースは前記第１サブ周期に対応し、前記第４時間周波数リソースは前記第２サブ周期に対応することを特徴とする請求項７に記載の方法。
【請求項９】
前記ネットワーク装置は第１指示情報を前記端末装置に送信し、前記第１指示情報は前記第１周期内に前記第１ＳＳＢの情報を送信するように前記ネットワーク装置に指示することに用いられることを特徴とする請求項１〜８のいずれか一項に記載の方法。
【請求項１０】
前記ネットワーク装置は前記第１周期内の第５時間周波数リソースにおいて前記第１指示情報を送信し、前記第１指示情報は、前記第１周期における前記第１ＳＳＢの最大送信回数情報、前記第１周期内の前記第５時間周波数リソースよりも早い時間周波数リソースにおける前記第１ＳＳＢの既送信回数情報、前記第１周期内の前記第５時間周波数リソースよりも遅い時間周波数リソースにおける前記第１ＳＳＢの送信待ち回数情報、前記第１周期内の前記第５時間周波数リソースよりも遅い時間周波数リソースにおける前記第１ＳＳＢの候補位置情報、前記第１ＳＳＢの識別子、前記第１ＳＳＢのビーム識別子のうちの少なくとも１つを指示することに用いられることを特徴とする請求項９に記載の方法。
【請求項１１】
前記第１周期は、前記ネットワーク装置によってサービスされる端末装置の数、前記ネットワーク装置によってサービスされるセルのカバレッジ範囲、前記端末装置が前記ネットワーク装置にアクセスする遅延要件のうちの少なくとも１つに応じて決定されることを特徴とする請求項１〜１０のいずれか一項に記載の方法。
【請求項１２】
前記第１ＳＳＢはＳＳＢグループにおける１つのＳＳＢであり、前記ＳＳＢグループは第２ＳＳＢを更に含み、前記方法は更に、
前記ネットワーク装置はＭ２個の時間周波数リソースから、チャネル使用権を取得した第６時間周波数リソースを決定し、前記Ｍ２個の時間周波数リソースは前記ネットワーク装置が前記第１キャリアでの前記第１周期に対して構成した、前記第２ＳＳＢの伝送に使用される時間周波数リソースであり、Ｍ２が正の整数であって、Ｍ２≧２であることと、
前記ネットワーク装置が前記第６時間周波数リソースによって前記第２ＳＳＢを前記端末装置に送信することと、を含むことを特徴とする請求項１〜１１のいずれか一項に記載の方法。
【請求項１３】
前記第６時間周波数リソースはＫ２個の時間周波数リソースのうちの１つの時間周波数リソースであり、前記Ｋ２個の時間周波数リソースは前記Ｍ２個の時間周波数リソースのうち前記第２ＳＳＢの送信に使用される時間周波数リソースであり、Ｋ２が正の整数であって、１≦Ｋ２≦Ｎ２であり、Ｎ２は前記ネットワーク装置が前記第１周期内に前記第２ＳＳＢを送信する最大回数であり、Ｎ２が正の整数であって、１≦Ｎ２＜Ｍ２であることを特徴とする請求項１２に記載の方法。
【請求項１４】
前記Ｋ２個の時間周波数リソースは前記Ｍ２個の時間周波数リソースのうち前記ネットワーク装置がチャネル使用権を取得した先頭Ｋ２個の時間周波数リソースであることを特徴とする請求項１３に記載の方法。
【請求項１５】
前記ネットワーク装置は第２指示情報を前記端末装置に送信し、前記第２指示情報は前記第１周期内に前記ＳＳＢグループの情報を送信するように前記ネットワーク装置に指示することに用いられることを特徴とする請求項１２〜１４のいずれか一項に記載の方法。
【請求項１６】
前記ネットワーク装置は前記第１周期内の第７時間周波数リソースにおいて前記第２指示情報を送信し、
前記第２指示情報は、前記第１周期における前記ＳＳＢグループ中の少なくとも１つのＳＳＢの最大送信回数情報、前記第１周期内の前記第７時間周波数リソースよりも早い時間周波数リソースにおける前記ＳＳＢグループ中の少なくとも１つのＳＳＢの既送信回数情報、前記第１周期内の前記第７時間周波数リソースよりも遅い時間周波数リソースにおける前記ＳＳＢグループ中の少なくとも１つのＳＳＢの送信待ち回数情報、前記第１周期内の前記第７時間周波数リソースよりも遅い時間周波数リソースにおける前記ＳＳＢグループ中の少なくとも１つのＳＳＢの候補位置情報、前記ＳＳＢグループにおける少なくとも１つのＳＳＢの識別子、前記ＳＳＢグループにおける少なくとも１つのＳＳＢのビーム識別子のうちの少なくとも１つを指示することに用いられることを特徴とする請求項１５に記載の方法。
【請求項１７】
信号伝送方法であって、
端末装置は第１キャリアでのＭ１個の時間周波数リソースにおいて第１同期信号ブロック（ＳＳＢ）を検出して、ネットワーク装置が第１ＳＳＢを送信する第１時間周波数リソースを決定し、前記Ｍ１個の時間周波数リソースは前記ネットワーク装置が前記第１キャリアでの第１周期に対して構成した、第１ＳＳＢの伝送に使用できる時間周波数リソースであり、Ｍ１が正の整数であって、Ｍ１≧２であることと、
前記端末装置は前記第１時間周波数リソースによって、前記ネットワーク装置から送信された前記第１ＳＳＢを受信することと、を含むことを特徴とする信号伝送方法。
【請求項１８】
前記ネットワーク装置が前記第１周期内に前記第１ＳＳＢを送信する最大回数はＮ１であり、Ｎ１が正の整数であって、１≦Ｎ１＜Ｍ１であることを特徴とする請求項１７に記載の方法。
【請求項１９】
前記端末装置が前記第１周期内に前記第１時間周波数リソースの前に前記第１ＳＳＢを検出した回数はＮ１未満であることを特徴とする請求項１８に記載の方法。
【請求項２０】
前記方法は更に、
前記端末装置は前記Ｍ１個の時間周波数リソースのうち第２時間周波数リソースよりも遅い時間周波数リソースにおいて前記第１ＳＳＢを検出しないことを含み、
前記第２時間周波数リソースは、前記Ｍ１個の時間周波数リソースのうち前記端末装置が前記第１ＳＳＢをＮ１回目検出した時間周波数リソースであることを特徴とする請求項１８又は１９に記載の方法。
【請求項２１】
前記第１時間周波数リソースはＫ１個の時間周波数リソースのうちの１つの時間周波数リソースであり、前記Ｋ１個の時間周波数リソースは前記Ｍ１個の時間周波数リソースのうち前記端末装置が前記第１ＳＳＢを検出した時間周波数リソースであり、Ｋ１が正の整数であって、１≦Ｋ１≦Ｎ１であることを特徴とする請求項１８〜２０のいずれか一項に記載の方法。
【請求項２２】
前記Ｋ１個の時間周波数リソースは前記Ｍ１個の時間周波数リソースのうち前記端末装置が前記第１ＳＳＢを検出した先頭Ｋ１個の時間周波数リソースであることを特徴とする請求項２１に記載の方法。
【請求項２３】
前記第１周期はＭ１個のサブ周期を含み、前記Ｍ１個のサブ周期のそれぞれは前記Ｍ１個の時間周波数リソースのうちの１つの時間周波数リソースを含み、前記Ｍ１個のサブ周期は前記Ｍ１個の時間周波数リソースに一対一対応することを特徴とする請求項１７〜２２のいずれか一項に記載の方法。
【請求項２４】
第３時間周波数リソースの第１サブ周期での位置と第４時間周波数リソースの第２サブ周期での位置は同じであり、第３時間周波数リソース及び第４時間周波数リソースは前記Ｍ１個の時間周波数リソースのうち異なる２つの時間周波数リソースであり、前記第３時間周波数リソースは前記第１サブ周期に対応し、前記第４時間周波数リソースは前記第２サブ周期に対応することを特徴とする請求項２３に記載の方法。
【請求項２５】
前記端末装置は前記ネットワーク装置から送信された第１指示情報を受信し、前記第１指示情報は前記第１周期内に前記第１ＳＳＢの情報を送信するように前記ネットワーク装置に指示することに用いられることを特徴とする請求項１７〜２４のいずれか一項に記載の方法。
【請求項２６】
前記端末装置は前記第１周期内の第５時間周波数リソースにおいて前記第１指示情報を受信し、前記第１指示情報は、前記第１周期における前記第１ＳＳＢの最大送信回数情報、前記第１周期内の前記第５時間周波数リソースよりも早い時間周波数リソースにおける前記第１ＳＳＢの既送信回数情報、前記第１周期内の前記第５時間周波数リソースよりも遅い時間周波数リソースにおける前記第１ＳＳＢの送信待ち回数情報、前記第１周期内の前記第５時間周波数リソースよりも遅い時間周波数リソースにおける前記第１ＳＳＢの候補位置情報、前記第１ＳＳＢの識別子、前記第１ＳＳＢのビーム識別子のうちの少なくとも１つを指示することに用いられることを特徴とする請求項２５に記載の方法。
【請求項２７】
前記第１周期は、前記ネットワーク装置によってサービスされる端末装置の数、前記ネットワーク装置によってサービスされるセルのカバレッジ範囲、前記端末装置が前記ネットワーク装置にアクセスする遅延要件のうちの少なくとも１つに応じて決定されることを特徴とする請求項１７〜２６のいずれか一項に記載の方法。
【請求項２８】
前記第１ＳＳＢはＳＳＢグループにおける１つのＳＳＢであり、前記ＳＳＢグループは第２ＳＳＢを更に含み、前記方法は更に、
前記端末装置は前記第１キャリアでのＭ２個の時間周波数リソースにおいて第２ＳＳＢを検出して、前記ネットワーク装置が第２ＳＳＢを送信する第６時間周波数リソースを決定し、前記Ｍ２個の時間周波数リソースは前記ネットワーク装置が前記第１キャリアでの前記第１周期に対して構成した、前記第２ＳＳＢの伝送に使用される時間周波数リソースであり、Ｍ２が正の整数であって、Ｍ２≧２であることと、
前記端末装置は前記第６時間周波数リソースによって、前記ネットワーク装置から送信された前記第２ＳＳＢを受信することと、を含むことを特徴とする請求項１７〜２７のいずれか一項に記載の方法。
【請求項２９】
前記第６時間周波数リソースはＫ２個の時間周波数リソースのうちの１つの時間周波数リソースであり、前記Ｋ２個の時間周波数リソースは前記Ｍ２個の時間周波数リソースのうち前記第２ＳＳＢの送信に使用される時間周波数リソースであり、Ｋ２が正の整数であって、１≦Ｋ２≦Ｎ２であり、Ｎ２は前記ネットワーク装置が前記第１周期内に前記第２ＳＳＢを送信する最大回数であり、Ｎ２が正の整数であって、１≦Ｎ２＜Ｍ２であることを特徴とする請求項２８に記載の方法。
【請求項３０】
前記Ｋ２個の時間周波数リソースは前記Ｍ２個の時間周波数リソースのうち前記ネットワーク装置がチャネル使用権を取得した先頭Ｋ２個の時間周波数リソースであることを特徴とする請求項２９に記載の方法。
【請求項３１】
前記端末装置は前記ネットワーク装置から送信された第２指示情報を受信し、前記第２指示情報は前記第１周期内に前記ＳＳＢグループの情報を送信するように前記ネットワーク装置に指示することに用いられることを特徴とする請求項２８〜３０のいずれか一項に記載の方法。
【請求項３２】
前記端末装置は前記第１周期内の第７時間周波数リソースにおいて前記第２指示情報を受信し、
前記第２指示情報は、前記第１周期における前記ＳＳＢグループ中の少なくとも１つのＳＳＢの最大送信回数情報、前記第１周期内の前記第７時間周波数リソースよりも早い時間周波数リソースにおける前記ＳＳＢグループ中の少なくとも１つのＳＳＢの既送信回数情報、前記第１周期内の前記第７時間周波数リソースよりも遅い時間周波数リソースにおける前記ＳＳＢグループ中の少なくとも１つのＳＳＢの送信待ち回数情報、前記第１周期内の前記第７時間周波数リソースよりも遅い時間周波数リソースにおける前記ＳＳＢグループ中の少なくとも１つのＳＳＢの候補位置情報、前記ＳＳＢグループにおける少なくとも１つのＳＳＢの識別子、前記ＳＳＢグループにおける少なくとも１つのＳＳＢのビーム識別子のうちの少なくとも１つを指示することに用いられることを特徴とする請求項３１に記載の方法。
【請求項３３】
ネットワーク装置であって、
第１キャリアを検出し、検出結果に応じてＭ１個の時間周波数リソースから、チャネル使用権を取得した第１時間周波数リソースを決定することに用いられ、前記Ｍ１個の時間周波数リソースは前記ネットワーク装置が前記第１キャリアでの第１周期に対して構成した、第１同期信号ブロック（ＳＳＢ）の伝送に使用できる時間周波数リソースであり、Ｍ１が正の整数であって、Ｍ１≧２である処理モジュールと、
前記第１時間周波数リソースによって前記第１ＳＳＢを端末装置に送信することに用いられる通信モジュールと、を備えることを特徴とするネットワーク装置。
【請求項３４】
前記ネットワーク装置が前記第１周期内に前記第１ＳＳＢを送信する最大回数はＮ１であり、Ｎ１が正の整数であって、１≦Ｎ１＜Ｍ１であることを特徴とする請求項３３に記載のネットワーク装置。
【請求項３５】
前記ネットワーク装置が前記第１周期内に前記第１時間周波数リソースの前に前記第１ＳＳＢを送信する回数はＮ１未満であることを特徴とする請求項３４に記載のネットワーク装置。
【請求項３６】
前記通信モジュールは更に、
前記Ｍ１個の時間周波数リソースのうち第２時間周波数リソースよりも遅い時間周波数リソースにおいて前記第１ＳＳＢを送信しないことに用いられ、
前記第２時間周波数リソースは、前記Ｍ１個の時間周波数リソースのうち前記ネットワーク装置が前記第１ＳＳＢをＮ１回目送信する時間周波数リソースであることを特徴とする請求項３４又は３５に記載のネットワーク装置。
【請求項３７】
前記第１時間周波数リソースはＫ１個の時間周波数リソースのうちの１つの時間周波数リソースであり、前記Ｋ１個の時間周波数リソースは前記Ｍ１個の時間周波数リソースのうち前記第１ＳＳＢの送信に使用される時間周波数リソースであり、Ｋ１が正の整数であって、１≦Ｋ１≦Ｎ１であることを特徴とする請求項３４〜３６のいずれか一項に記載のネットワーク装置。
【請求項３８】
前記Ｋ１個の時間周波数リソースは前記Ｍ１個の時間周波数リソースのうち前記ネットワーク装置がチャネル使用権を取得した先頭Ｋ１個の時間周波数リソースであることを特徴とする請求項３７に記載のネットワーク装置。
【請求項３９】
前記第１周期はＭ１個のサブ周期を含み、前記Ｍ１個のサブ周期のそれぞれは前記Ｍ１個の時間周波数リソースのうちの１つの時間周波数リソースを含み、前記Ｍ１個のサブ周期は前記Ｍ１個の時間周波数リソースに一対一対応することを特徴とする請求項３３〜３８のいずれか一項に記載のネットワーク装置。
【請求項４０】
第３時間周波数リソースの第１サブ周期での位置と第４時間周波数リソースの第２サブ周期での位置は同じであり、第３時間周波数リソース及び第４時間周波数リソースは前記Ｍ１個の時間周波数リソースのうち異なる２つの時間周波数リソースであり、前記第３時間周波数リソースは前記第１サブ周期に対応し、前記第４時間周波数リソースは前記第２サブ周期に対応することを特徴とする請求項３９に記載のネットワーク装置。
【請求項４１】
前記ネットワーク装置は第１指示情報を前記端末装置に送信し、前記第１指示情報は前記第１周期内に前記第１ＳＳＢの情報を送信するように前記ネットワーク装置に指示することに用いられることを特徴とする請求項３３〜４０のいずれか一項に記載のネットワーク装置。
【請求項４２】
前記ネットワーク装置は前記第１周期内の第５時間周波数リソースにおいて前記第１指示情報を送信し、前記第１指示情報は、前記第１周期における前記第１ＳＳＢの最大送信回数情報、前記第１周期内の前記第５時間周波数リソースよりも早い時間周波数リソースにおける前記第１ＳＳＢの既送信回数情報、前記第１周期内の前記第５時間周波数リソースよりも遅い時間周波数リソースにおける前記第１ＳＳＢの送信待ち回数情報、前記第１周期内の前記第５時間周波数リソースよりも遅い時間周波数リソースにおける前記第１ＳＳＢの候補位置情報、前記第１ＳＳＢの識別子、前記第１ＳＳＢのビーム識別子のうちの少なくとも１つを指示することに用いられることを特徴とする請求項４１に記載のネットワーク装置。
【請求項４３】
前記第１周期は、前記ネットワーク装置によってサービスされる端末装置の数、前記ネットワーク装置によってサービスされるセルのカバレッジ範囲、前記端末装置が前記ネットワーク装置にアクセスする遅延要件のうちの少なくとも１つに応じて決定されることを特徴とする請求項３３〜４２のいずれか一項に記載のネットワーク装置。
【請求項４４】
前記第１ＳＳＢはＳＳＢグループにおける１つのＳＳＢであり、前記ＳＳＢグループは第２ＳＳＢを更に含み、前記処理モジュールは更に、
Ｍ２個の時間周波数リソースから、チャネル使用権を取得した第６時間周波数リソースを決定することに用いられ、前記Ｍ２個の時間周波数リソースは前記ネットワーク装置が前記第１キャリアでの前記第１周期に対して構成した、前記第２ＳＳＢの伝送に使用される時間周波数リソースであり、Ｍ２が正の整数であって、Ｍ２≧２であり、
前記通信モジュールは更に、前記第６時間周波数リソースによって前記第２ＳＳＢを前記端末装置に送信することに用いられることを特徴とする請求項３３〜４３のいずれか一項に記載のネットワーク装置。
【請求項４５】
前記第６時間周波数リソースはＫ２個の時間周波数リソースのうちの１つの時間周波数リソースであり、前記Ｋ２個の時間周波数リソースは前記Ｍ２個の時間周波数リソースのうち前記第２ＳＳＢの送信に使用される時間周波数リソースであり、Ｋ２が正の整数であって、１≦Ｋ２≦Ｎ２であり、Ｎ２は前記ネットワーク装置が前記第１周期内に前記第２ＳＳＢを送信する最大回数であり、Ｎ２が正の整数であって、１≦Ｎ２＜Ｍ２であることを特徴とする請求項４４に記載のネットワーク装置。
【請求項４６】
前記Ｋ２個の時間周波数リソースは前記Ｍ２個の時間周波数リソースのうち前記ネットワーク装置がチャネル使用権を取得した先頭Ｋ２個の時間周波数リソースであることを特徴とする請求項４５に記載のネットワーク装置。
【請求項４７】
前記ネットワーク装置は第２指示情報を前記端末装置に送信し、前記第２指示情報は前記第１周期内に前記ＳＳＢグループの情報を送信するように前記ネットワーク装置に指示することに用いられることを特徴とする請求項４４〜４６のいずれか一項に記載のネットワーク装置。
【請求項４８】
前記ネットワーク装置は前記第１周期内の第７時間周波数リソースにおいて前記第２指示情報を送信し、
前記第２指示情報は、前記第１周期における前記ＳＳＢグループ中の少なくとも１つのＳＳＢの最大送信回数情報、前記第１周期内の前記第７時間周波数リソースよりも早い時間周波数リソースにおける前記ＳＳＢグループ中の少なくとも１つのＳＳＢの既送信回数情報、前記第１周期内の前記第７時間周波数リソースよりも遅い時間周波数リソースにおける前記ＳＳＢグループ中の少なくとも１つのＳＳＢの送信待ち回数情報、前記第１周期内の前記第７時間周波数リソースよりも遅い時間周波数リソースにおける前記ＳＳＢグループ中の少なくとも１つのＳＳＢの候補位置情報、前記ＳＳＢグループにおける少なくとも１つのＳＳＢの識別子、前記ＳＳＢグループにおける少なくとも１つのＳＳＢのビーム識別子のうちの少なくとも１つを指示することに用いられることを特徴とする請求項４７に記載のネットワーク装置。
【請求項４９】
端末装置であって、
第１キャリアでのＭ１個の時間周波数リソースにおいて第１同期信号ブロック（ＳＳＢ）を検出して、ネットワーク装置が第１ＳＳＢを送信する第１時間周波数リソースを決定することに用いられ、前記Ｍ１個の時間周波数リソースは前記ネットワーク装置が前記第１キャリアでの第１周期に対して構成した、第１ＳＳＢの伝送に使用できる時間周波数リソースであり、Ｍ１が正の整数であって、Ｍ１≧２である処理モジュールと、
前記第１時間周波数リソースによって、前記ネットワーク装置から送信された前記第１ＳＳＢを受信することに用いられる通信モジュールと、を備えることを特徴とする端末装置。
【請求項５０】
前記ネットワーク装置が前記第１周期内に前記第１ＳＳＢを送信する最大回数はＮ１であり、Ｎ１が正の整数であって、１≦Ｎ１＜Ｍ１であることを特徴とする請求項４９に記載の端末装置。
【請求項５１】
前記端末装置が前記第１周期内に前記第１時間周波数リソースの前に前記第１ＳＳＢを検出した回数はＮ１未満であることを特徴とする請求項５０に記載の端末装置。
【請求項５２】
前記通信モジュールは更に、前記端末装置が前記Ｍ１個の時間周波数リソースのうち第２時間周波数リソースよりも遅い時間周波数リソースにおいて前記第１ＳＳＢを検出しないことに用いられ、
前記第２時間周波数リソースは、前記Ｍ１個の時間周波数リソースのうち前記端末装置が前記第１ＳＳＢをＮ１回目検出した時間周波数リソースであることを特徴とする請求項５０又は５１に記載の端末装置。
【請求項５３】
前記第１時間周波数リソースはＫ１個の時間周波数リソースのうちの１つの時間周波数リソースであり、前記Ｋ１個の時間周波数リソースは前記Ｍ１個の時間周波数リソースのうち前記端末装置が前記第１ＳＳＢを検出した時間周波数リソースであり、Ｋ１が正の整数であって、１≦Ｋ１≦Ｎ１であることを特徴とする請求項５０〜５２のいずれか一項に記載の端末装置。
【請求項５４】
前記Ｋ１個の時間周波数リソースは前記Ｍ１個の時間周波数リソースのうち前記端末装置が前記第１ＳＳＢを検出した先頭Ｋ１個の時間周波数リソースであることを特徴とする請求項５３に記載の端末装置。
【請求項５５】
前記第１周期はＭ１個のサブ周期を含み、前記Ｍ１個のサブ周期のそれぞれは前記Ｍ１個の時間周波数リソースのうちの１つの時間周波数リソースを含み、前記Ｍ１個のサブ周期は前記Ｍ１個の時間周波数リソースに一対一対応することを特徴とする請求項４９〜５４のいずれか一項に記載の端末装置。
【請求項５６】
第３時間周波数リソースの第１サブ周期での位置と第４時間周波数リソースの第２サブ周期での位置は同じであり、第３時間周波数リソース及び第４時間周波数リソースは前記Ｍ１個の時間周波数リソースのうち異なる２つの時間周波数リソースであり、前記第３時間周波数リソースは前記第１サブ周期に対応し、前記第４時間周波数リソースは前記第２サブ周期に対応することを特徴とする請求項５５に記載の端末装置。
【請求項５７】
前記端末装置は前記ネットワーク装置から送信された第１指示情報を受信し、前記第１指示情報は前記第１周期内に前記第１ＳＳＢの情報を送信するように前記ネットワーク装置に指示することに用いられることを特徴とする請求項４９〜５６のいずれか一項に記載の端末装置。
【請求項５８】
前記端末装置は前記第１周期内の第５時間周波数リソースにおいて前記第１指示情報を受信し、前記第１指示情報は、前記第１周期における前記第１ＳＳＢの最大送信回数情報、前記第１周期内の前記第５時間周波数リソースよりも早い時間周波数リソースにおける前記第１ＳＳＢの既送信回数情報、前記第１周期内の前記第５時間周波数リソースよりも遅い時間周波数リソースにおける前記第１ＳＳＢの送信待ち回数情報、前記第１周期内の前記第５時間周波数リソースよりも遅い時間周波数リソースにおける前記第１ＳＳＢの候補位置情報、前記第１ＳＳＢの識別子、前記第１ＳＳＢのビーム識別子のうちの少なくとも１つを指示することに用いられることを特徴とする請求項５７に記載の端末装置。
【請求項５９】
前記第１周期は、前記ネットワーク装置によってサービスされる端末装置の数、前記ネットワーク装置によってサービスされるセルのカバレッジ範囲、前記端末装置が前記ネットワーク装置にアクセスする遅延要件のうちの少なくとも１つに応じて決定されることを特徴とする請求項４９〜５８のいずれか一項に記載の端末装置。
【請求項６０】
前記第１ＳＳＢはＳＳＢグループにおける１つのＳＳＢであり、前記ＳＳＢグループは第２ＳＳＢを更に含み、前記処理モジュールは更に、
前記第１キャリアでのＭ２個の時間周波数リソースにおいて第２ＳＳＢを検出して、前記ネットワーク装置が第２ＳＳＢを送信する第６時間周波数リソースを決定することに用いられ、前記Ｍ２個の時間周波数リソースは前記ネットワーク装置が前記第１キャリアでの前記第１周期に対して構成した、前記第２ＳＳＢの伝送に使用される時間周波数リソースであり、Ｍ２が正の整数であって、Ｍ２≧２であり、
前記通信モジュールは更に、前記第６時間周波数リソースによって、前記ネットワーク装置から送信された前記第２ＳＳＢを受信することに用いられることを特徴とする請求項４９〜５９のいずれか一項に記載の端末装置。
【請求項６１】
前記第６時間周波数リソースはＫ２個の時間周波数リソースのうちの１つの時間周波数リソースであり、前記Ｋ２個の時間周波数リソースは前記Ｍ２個の時間周波数リソースのうち前記第２ＳＳＢの送信に使用される時間周波数リソースであり、Ｋ２が正の整数であって、１≦Ｋ２≦Ｎ２であり、Ｎ２は前記ネットワーク装置が前記第１周期内に前記第２ＳＳＢを送信する最大回数であり、Ｎ２が正の整数であって、１≦Ｎ２＜Ｍ２であることを特徴とする請求項６０に記載の端末装置。
【請求項６２】
前記Ｋ２個の時間周波数リソースは前記Ｍ２個の時間周波数リソースのうち前記ネットワーク装置がチャネル使用権を取得した先頭Ｋ２個の時間周波数リソースであることを特徴とする請求項６１に記載の端末装置。
【請求項６３】
前記端末装置は前記ネットワーク装置から送信された第２指示情報を受信し、前記第２指示情報は前記第１周期内に前記ＳＳＢグループの情報を送信するように前記ネットワーク装置に指示することに用いられることを特徴とする請求項６０〜６２のいずれか一項に記載の端末装置。
【請求項６４】
前記端末装置は前記第１周期内の第７時間周波数リソースにおいて前記第２指示情報を受信し、
前記第２指示情報は、前記第１周期における前記ＳＳＢグループ中の少なくとも１つのＳＳＢの最大送信回数情報、前記第１周期内の前記第７時間周波数リソースよりも早い時間周波数リソースにおける前記ＳＳＢグループ中の少なくとも１つのＳＳＢの既送信回数情報、前記第１周期内の前記第７時間周波数リソースよりも遅い時間周波数リソースにおける前記ＳＳＢグループ中の少なくとも１つのＳＳＢの送信待ち回数情報、前記第１周期内の前記第７時間周波数リソースよりも遅い時間周波数リソースにおける前記ＳＳＢグループ中の少なくとも１つのＳＳＢの候補位置情報、前記ＳＳＢグループにおける少なくとも１つのＳＳＢの識別子、前記ＳＳＢグループにおける少なくとも１つのＳＳＢのビーム識別子のうちの少なくとも１つを指示することに用いられることを特徴とする請求項６３に記載の端末装置。
【発明の詳細な説明】
【技術分野】
【０００１】
本願の実施例は通信分野に関し、より具体的に、信号伝送方法、ネットワーク装置及び端末装置に関する。
【背景技術】
【０００２】
アンライセンススペクトルでは、通信装置は「リスンビフォートーク（Ｌｉｓｔｅｎ  Ｂｅｆｏｒｅ  Ｔａｌｋ、ＬＢＴ）」の原則に従い、即ち、通信装置はアンライセンススペクトルのチャネルにおいて信号を送信する前に、チャネル検出を行う必要があり、チャネル検出の結果としてチャネルがアイドルである場合、又は、チャネル使用権を取得した場合、該通信装置は信号を送信し、一方、通信装置はアンライセンススペクトルのチャネルに対するチャネル検出の結果としてチャネルがビジーである場合、該通信装置は信号を送信できない。
【０００３】
新無線（Ｎｅｗ  Ｒａｄｉｏ、ＮＲ）では、同期信号ブロック（Ｓｙｎｃｈｒｏｎｉｚａｔｉｏｎ  Ｓｉｇｎａｌ  Ｂｌｏｃｋ、ＳＳＢ）は端末装置のネットワークへのアクセス、及び無線リソース管理（Ｒａｄｉｏ  Ｒｅｓｏｕｒｃｅ  Ｍａｎａｇｅｍｅｎｔ、ＲＲＭ）測定を行うための重要な信号であり、アンライセンススペクトルをＮＲシステムに適用する場合、ネットワーク装置はＳＳＢを送信するには信号使用権を取得する必要があり、この場合、ネットワーク装置がどのようにＳＳＢを効果的に伝送するかは検討に値する問題となる。
【発明の概要】
【発明が解決しようとする課題】
【０００４】
本願の実施例は、チャネル検出の結果に応じてＳＳＢを効果的に伝送することができる信号伝送方法、ネットワーク装置及び端末装置を提供する。
【課題を解決するための手段】
【０００５】
第１態様によれば、信号伝送方法を提供し、
ネットワーク装置は第１キャリアを検出し、検出結果に応じてＭ１個の時間周波数リソースから、チャネル使用権を取得した第１時間周波数リソースを決定し、前記Ｍ１個の時間周波数リソースは前記ネットワーク装置が前記第１キャリアでの第１周期に対して構成した、第１同期信号ブロック（ＳＳＢ）の伝送に使用できる時間周波数リソースであり、Ｍ１が正の整数であって、Ｍ１≧２であることと、
前記ネットワーク装置が前記第１時間周波数リソースによって前記第１ＳＳＢを端末装置に送信することと、を含む。
【０００６】
従って、本願の実施例では、ネットワーク装置は第１周期内に該第１ＳＳＢの伝送に使用できる複数の時間周波数リソースを構成でき、それによりＳＳＢの送信機会を増加させることに寄与し、且つ該ネットワーク装置は該第１周期内に第１キャリアに対してチャネル検出を行い、チャネル検出の結果に応じて該第１周期内のＭ１個の時間周波数リソースのうち利用可能な第１時間周波数リソースを決定でき、更に該Ｍ１個の時間周波数リソースの各々又は特定の時間周波数リソースにおいて第１ＳＳＢを送信することではなく、該第１時間周波数リソースによって該第１ＳＳＢを送信し、それにより該第１ＳＳＢを効果的に伝送できるだけでなく、リソース利用効率の向上に寄与する。
【０００７】
理解されるように、該Ｍ１個の時間周波数リソースは該第１ＳＳＢの伝送に使用でき、又は、該Ｍ１個の時間周波数リソースは第１ＳＳＢの伝送に使用できる候補時間周波数リソースであってもよく、しかしながら、実際の伝送では、該Ｍ１個の時間周波数リソースは必ずしもすべて該第１ＳＳＢを伝送することに用いられるとは限らないため、該Ｍ１個の時間周波数リソースは第１ＳＳＢを実際に伝送する時間周波数リソース及び第１ＳＳＢを伝送していない時間周波数リソースを含んでもよい。
【０００８】
選択肢として、該Ｍ１個の時間周波数リソースにおいてチャネル検出が全部失敗し、即ち、該Ｍ１個の時間周波数リソースのうちのいずれかの時間周波数リソースのチャネル使用権を取得していない場合、該ネットワーク装置は該第１周期内に該第１ＳＳＢの送信を行わなくてもよい。更に、該ネットワーク装置は該第１周期の後の第２周期内に該第１キャリアに対してチャネル検出を行い、且つ該第２周期内のチャネル検出の結果に応じて該第１ＳＳＢの送信を行ってもよい。
【０００９】
選択肢として、本願の実施例では、該第１キャリアはアンライセンスキャリア、又はライセンスキャリアであってもよいが、本願の実施例ではそれを限定しない。
【００１０】
選択肢として、本願の実施例では、前記第１周期の長さは通信システムによって指定され、又はネットワーク装置によって構成され、又はネットワーク装置及び端末装置の両方によって共通に決定されてもよいが、本願の実施例では該第１周期の決定方式を限定しない。
【００１１】
いくつかの可能な実施形態では、前記ネットワーク装置が前記第１周期内に前記第１ＳＳＢを送信する最大回数はＮ１であり、Ｎ１が正の整数であって、１≦Ｎ１＜Ｍ１である。
【００１２】
従って、ネットワーク装置は、Ｍ１個の時間周波数リソースの各々において第１ＳＳＢを送信することではなく、該Ｍ１個の時間周波数リソースの一部のみにおいて該第１ＳＳＢを送信することができ、ＳＳＢの送信回数を削減でき、それによりＳＳＢ送信用のリソースオーバーヘッドを削減できる。
【００１３】
選択肢として、該Ｎ１の値は通信システムによって指定され、又はネットワーク装置によって構成され、又はネットワーク装置及び端末装置の両方によって共通に決定されてもよいが、本願の実施例ではそれを限定しない。
【００１４】
いくつかの可能な実施形態では、前記ネットワーク装置が前記第１周期内に前記第１時間周波数リソースの前に前記第１ＳＳＢを送信する回数はＮ１未満である。
【００１５】
いくつかの可能な実施形態では、前記方法は更に、
前記ネットワーク装置は前記Ｍ１個の時間周波数リソースのうち第２時間周波数リソースよりも遅い時間周波数リソースにおいて前記第１ＳＳＢを送信しないことを含み、
前記第２時間周波数リソースは前記Ｍ１個の時間周波数リソースのうち前記ネットワーク装置が前記第１ＳＳＢをＮ１回目送信する時間周波数リソースである。
【００１６】
従って、ネットワーク装置は該Ｍ１個の時間周波数リソースにおいて該第１ＳＳＢをＮ１回伝送した後、該Ｍ１個の時間周波数リソースのうちの他の候補時間周波数リソースにおいて該第１ＳＳＢを伝送しなくなってもよく、このため、ネットワーク装置は第１周期内に複数の時間周波数リソースを構成してＳＳＢの送信機会を増加させるとともに、ＳＳＢの送信回数を削減でき、それによりＳＳＢ送信のリソースオーバーヘッドを削減できる。
【００１７】
選択肢として、該第２時間周波数リソースの後の他の候補時間周波数リソースにおいて、ネットワーク装置はデータを伝送してもよく、それによりリソース利用率を向上させることができる。
【００１８】
いくつかの可能な実施形態では、前記第１時間周波数リソースはＫ１個の時間周波数リソースのうちの１つの時間周波数リソースであり、前記Ｋ１個の時間周波数リソースは前記Ｍ１個の時間周波数リソースのうち前記第１ＳＳＢの送信に使用される時間周波数リソースであり、Ｋ１が正の整数であって、１≦Ｋ１≦Ｎ１である。
【００１９】
いくつかの可能な実施形態では、前記Ｋ１個の時間周波数リソースは前記Ｍ１個の時間周波数リソースのうち前記ネットワーク装置がチャネル使用権を取得した先頭Ｋ１個の時間周波数リソースである。
【００２０】
いくつかの可能な実施形態では、前記第１周期はＭ１個のサブ周期を含み、前記Ｍ１個のサブ周期のそれぞれは前記Ｍ１個の時間周波数リソースのうちの１つの時間周波数リソースを含み、前記Ｍ１個のサブ周期は前記Ｍ１個の時間周波数リソースに一対一対応する。
【００２１】
いくつかの可能な実施形態では、第３時間周波数リソースの第１サブ周期での位置と第４時間周波数リソースの第２サブ周期での位置は同じであり、第３時間周波数リソース及び第４時間周波数リソースは前記Ｍ１個の時間周波数リソースのうち異なる２つの時間周波数リソースであり、前記第３時間周波数リソースは前記第１サブ周期に対応し、前記第４時間周波数リソースは前記第２サブ周期に対応する。
【００２２】
いくつかの可能な実施形態では、前記ネットワーク装置は第１指示情報を前記端末装置に送信し、前記第１指示情報は前記第１周期内に前記第１ＳＳＢの情報を送信するように前記ネットワーク装置に指示することに用いられる。
【００２３】
いくつかの可能な実施形態では、前記第１指示情報は、前記第１周期における前記第１ＳＳＢの最大送信回数情報、前記第１ＳＳＢの識別子、前記第１ＳＳＢのビーム識別子のうちの少なくとも１つを指示することに用いられる。
【００２４】
いくつかの可能な実施形態では、前記ネットワーク装置は前記第１周期内の第５時間周波数リソースにおいて前記第１指示情報を送信する。
【００２５】
いくつかの可能な実施形態では、前記第１指示情報は、前記第１周期内の前記第５時間周波数リソースよりも早い時間周波数リソースにおける前記第１ＳＳＢの既送信回数情報、前記第１周期内の前記第５時間周波数リソースよりも遅い時間周波数リソースにおける前記第１ＳＳＢの送信待ち回数情報、前記第１周期内の前記第５時間周波数リソースよりも遅い時間周波数リソースにおける前記第１ＳＳＢの候補位置情報のうちの少なくとも１つを指示することに用いられる。
【００２６】
従って、端末装置は前記第１指示情報に応じて、該第１周期内の該第１ＳＳＢの情報を決定し、更に該第１ＳＳＢの情報に応じて、特定のリソース位置で該第１ＳＳＢを受信し、又はＮ１回の受信の成功後、他の時間周波数リソースにおいて該第１ＳＳＢを受信しなくなり、それにより端末装置のブラインド検出の複雑さを低下させることができる。又は、端末装置は前記第１指示情報に応じて該第１ＳＳＢの時間周波数リソース位置を決定し、且つデータ受信時に該第１ＳＳＢに対してレートマッチングを行う。
【００２７】
いくつかの可能な実施形態では、前記第１周期は、前記ネットワーク装置によってサービスされる端末装置の数、前記ネットワーク装置によってサービスされるセルのカバレッジ範囲、前記端末装置が前記ネットワーク装置にアクセスする遅延要件のうちの少なくとも１つに応じて決定される。
【００２８】
選択肢として、他のいくつかの実施例では、該周期はＳＳＢの送信周期に応じて決定され、例えば、該周期は８０ｍｓ、１６０ｍｓ等であってもよい。
【００２９】
いくつかの可能な実施形態では、前記第１ＳＳＢはＳＳＢグループにおける１つのＳＳＢであり、前記ＳＳＢグループは第２ＳＳＢを更に含み、前記方法は更に、
前記ネットワーク装置はＭ２個の時間周波数リソースから、チャネル使用権を取得した第６時間周波数リソースを決定し、前記Ｍ２個の時間周波数リソースは前記ネットワーク装置が前記第１キャリアでの前記第１周期に対して構成した、前記第２ＳＳＢの伝送に使用される時間周波数リソースであり、Ｍ２が正の整数であって、Ｍ２≧２であることと、
前記ネットワーク装置は前記第６時間周波数リソースによって前記第２ＳＳＢを前記端末装置に送信することと、を含む。
【００３０】
いくつかの可能な実施形態では、前記第６時間周波数リソースはＫ２個の時間周波数リソースのうちの１つの時間周波数リソースであり、前記Ｋ２個の時間周波数リソースは前記Ｍ２個の時間周波数リソースのうち前記第２ＳＳＢの送信に使用される時間周波数リソースであり、Ｋ２が正の整数であって、１≦Ｋ２≦Ｎ２であり、Ｎ２は前記ネットワーク装置が前記第１周期内に前記第２ＳＳＢを送信する最大回数であり、Ｎ２が正の整数であって、１≦Ｎ２＜Ｍ２である。
【００３１】
いくつかの可能な実施形態では、前記Ｋ２個の時間周波数リソースは前記Ｍ２個の時間周波数リソースのうち前記ネットワーク装置がチャネル使用権を取得した先頭Ｋ２個の時間周波数リソースである。
【００３２】
いくつかの可能な実施形態では、前記ネットワーク装置は第２指示情報を前記端末装置に送信し、前記第２指示情報は前記第１周期内に前記ＳＳＢグループの情報を送信するように前記ネットワーク装置に指示することに用いられる。
【００３３】
いくつかの可能な実施形態では、前記第２指示情報は、前記第１周期における前記ＳＳＢグループ中の少なくとも１つのＳＳＢの最大送信回数情報、前記ＳＳＢグループにおける少なくとも１つのＳＳＢの識別子、前記ＳＳＢグループにおける少なくとも１つのＳＳＢのビーム識別子のうちの少なくとも１つを指示することに用いられる。
【００３４】
いくつかの可能な実施形態では、前記ネットワーク装置は前記第１周期内の第７時間周波数リソースにおいて前記第２指示情報を送信する。
【００３５】
いくつかの可能な実施形態では、前記第２指示情報は、前記第１周期内の前記第７時間周波数リソースよりも早い時間周波数リソースにおける前記ＳＳＢグループ中の少なくとも１つのＳＳＢの既送信回数情報、前記第１周期内の前記第７時間周波数リソースよりも遅い時間周波数リソースにおける前記ＳＳＢグループ中の少なくとも１つのＳＳＢの送信待ち回数情報、前記第１周期内の前記第７時間周波数リソースよりも遅い時間周波数リソースにおける前記ＳＳＢグループ中の少なくとも１つのＳＳＢの候補位置情報のうちの少なくとも１つを指示することに用いられる。
【００３６】
従って、端末装置は前記第２指示情報に応じて、該第１周期内の該ＳＳＢグループにおける少なくとも１つのＳＳＢの情報を決定し、更に該ＳＳＢグループの情報に応じて、特定の位置で該ＳＳＢグループにおける少なくとも１つのＳＳＢを受信し、又は該ＳＳＢグループにおけるあるＳＳＢの受信成功回数が最大回数に達した（例えば、第１ＳＳＢをＮ１回受信し、第２ＳＳＢをＮ２回受信した）後、他の時間周波数リソースにおいて該ＳＳＢグループにおける該ＳＳＢを受信しなくなり、それにより端末装置のブラインド検出の複雑さを低下させることができる。又は、端末装置は前記第２指示情報に応じて該ＳＳＢグループの時間周波数リソース位置を決定し、且つデータ受信時に該ＳＳＢグループにおける少なくとも１つのＳＳＢに対してレートマッチングを行う。
【００３７】
第２態様によれば、信号伝送方法を提供し、
端末装置は第１キャリアでのＭ１個の時間周波数リソースにおいて第１同期信号ブロック（ＳＳＢ）を検出して、ネットワーク装置が第１ＳＳＢを送信する第１時間周波数リソースを決定し、前記Ｍ１個の時間周波数リソースは前記ネットワーク装置が前記第１キャリアでの第１周期に対して構成した、第１ＳＳＢの伝送に使用できる時間周波数リソースであり、Ｍ１が正の整数であって、Ｍ１≧２であることと、
前記端末装置は前記第１時間周波数リソースによって、前記ネットワーク装置から送信された前記第１ＳＳＢを受信することと、を含む。
【００３８】
いくつかの可能な実施形態では、前記ネットワーク装置が前記第１周期内に前記第１ＳＳＢを送信する最大回数はＮ１であり、Ｎ１が正の整数であって、１≦Ｎ１＜Ｍ１である。
【００３９】
いくつかの可能な実施形態では、前記端末装置が前記第１周期内に前記第１時間周波数リソースの前に前記第１ＳＳＢを検出した回数はＮ１未満である。
【００４０】
いくつかの可能な実施形態では、前記方法は更に、
前記端末装置は前記Ｍ１個の時間周波数リソースのうち第２時間周波数リソースよりも遅い時間周波数リソースにおいて前記第１ＳＳＢを検出しないことを含み、
前記第２時間周波数リソースは、前記Ｍ１個の時間周波数リソースのうち前記端末装置が前記第１ＳＳＢをＮ１回目検出した時間周波数リソースである。
【００４１】
いくつかの可能な実施形態では、前記第１時間周波数リソースはＫ１個の時間周波数リソースのうちの１つの時間周波数リソースであり、前記Ｋ１個の時間周波数リソースは前記Ｍ１個の時間周波数リソースのうち前記端末装置が前記第１ＳＳＢを検出した時間周波数リソースであり、Ｋ１が正の整数であって、１≦Ｋ１≦Ｎ１である。
【００４２】
いくつかの可能な実施形態では、前記Ｋ１個の時間周波数リソースは前記Ｍ１個の時間周波数リソースのうち前記端末装置が前記第１ＳＳＢを検出した先頭Ｋ１個の時間周波数リソースである。
【００４３】
いくつかの可能な実施形態では、前記第１周期はＭ１個のサブ周期を含み、前記Ｍ１個のサブ周期のそれぞれは前記Ｍ１個の時間周波数リソースのうちの１つの時間周波数リソースを含み、前記Ｍ１個のサブ周期は前記Ｍ１個の時間周波数リソースに一対一対応する。
【００４４】
いくつかの可能な実施形態では、第３時間周波数リソースの第１サブ周期での位置と第４時間周波数リソースの第２サブ周期での位置は同じであり、第３時間周波数リソース及び第４時間周波数リソースは前記Ｍ１個の時間周波数リソースのうち異なる２つの時間周波数リソースであり、前記第３時間周波数リソースは前記第１サブ周期に対応し、前記第４時間周波数リソースは前記第２サブ周期に対応する。
【００４５】
いくつかの可能な実施形態では、前記端末装置は前記ネットワーク装置から送信された第１指示情報を受信し、前記第１指示情報は前記第１周期内に前記第１ＳＳＢの情報を送信するように前記ネットワーク装置に指示することに用いられる。
【００４６】
いくつかの可能な実施形態では、前記第１指示情報は、前記第１周期における前記第１ＳＳＢの最大送信回数情報、前記第１ＳＳＢの識別子、前記第１ＳＳＢのビーム識別子のうちの少なくとも１つを指示することに用いられる。
【００４７】
いくつかの可能な実施形態では、前記端末装置は前記第１周期内の第５時間周波数リソースにおいて前記第１指示情報を受信する。
【００４８】
いくつかの可能な実施形態では、前記第１指示情報は、前記第１周期内の前記第５時間周波数リソースよりも早い時間周波数リソースにおける前記第１ＳＳＢの既送信回数情報、前記第１周期内の前記第５時間周波数リソースよりも遅い時間周波数リソースにおける前記第１ＳＳＢの送信待ち回数情報、前記第１周期内の前記第５時間周波数リソースよりも遅い時間周波数リソースにおける前記第１ＳＳＢの候補位置情報のうちの少なくとも１つを指示することに用いられる。
【００４９】
従って、端末装置は前記第１指示情報に応じて、該第１周期内の該第１ＳＳＢの情報を決定し、更に該第１ＳＳＢの情報に応じて、特定のリソース位置で該第１ＳＳＢを受信し、又はＮ１回の受信の成功後、他の時間周波数リソースにおいて該第１ＳＳＢを受信しなくなり、それにより端末装置のブラインド検出の複雑さを低下させることができる。又は、端末装置は前記第１指示情報に応じて該第１ＳＳＢの時間周波数リソース位置を決定し、且つデータ受信時に該第１ＳＳＢに対してレートマッチングを行う。
【００５０】
いくつかの可能な実施形態では、前記第１周期は、前記ネットワーク装置によってサービスされる端末装置の数、前記ネットワーク装置によってサービスされるセルのカバレッジ範囲、前記端末装置が前記ネットワーク装置にアクセスする遅延要件のうちの少なくとも１つに応じて決定される。
【００５１】
いくつかの可能な実施形態では、前記第１ＳＳＢはＳＳＢグループにおける１つのＳＳＢであり、前記ＳＳＢグループは第２ＳＳＢを更に含み、前記方法は更に、
前記端末装置は前記第１キャリアでのＭ２個の時間周波数リソースにおいて第２ＳＳＢを検出して、前記ネットワーク装置が第２ＳＳＢを送信する第６時間周波数リソースを決定し、前記Ｍ２個の時間周波数リソースは前記ネットワーク装置が前記第１キャリアでの前記第１周期に対して構成した、前記第２ＳＳＢの伝送に使用される時間周波数リソースであり、Ｍ２が正の整数であって、Ｍ２≧２であることと、
前記端末装置は前記第６時間周波数リソースによって、前記ネットワーク装置から送信された前記第２ＳＳＢを受信することと、を含む。
【００５２】
いくつかの可能な実施形態では、前記第６時間周波数リソースはＫ２個の時間周波数リソースのうちの１つの時間周波数リソースであり、前記Ｋ２個の時間周波数リソースは前記Ｍ２個の時間周波数リソースのうち前記第２ＳＳＢの送信に使用される時間周波数リソースであり、Ｋ２が正の整数であって、１≦Ｋ２≦Ｎ２であり、Ｎ２は前記ネットワーク装置が前記第１周期内に前記第２ＳＳＢを送信する最大回数であり、Ｎ２が正の整数であって、１≦Ｎ２＜Ｍ２である。
【００５３】
いくつかの可能な実施形態では、前記Ｋ２個の時間周波数リソースは前記Ｍ２個の時間周波数リソースのうち前記ネットワーク装置がチャネル使用権を取得した先頭Ｋ２個の時間周波数リソースである。
【００５４】
いくつかの可能な実施形態では、前記端末装置は前記ネットワーク装置から送信された第２指示情報を受信し、前記第２指示情報は前記第１周期内に前記ＳＳＢグループの情報を送信するように前記ネットワーク装置に指示することに用いられる。
【００５５】
いくつかの可能な実施形態では、前記第２指示情報は、前記第１周期における前記ＳＳＢグループ中の少なくとも１つのＳＳＢの最大送信回数情報、前記ＳＳＢグループにおける少なくとも１つのＳＳＢの識別子、前記ＳＳＢグループにおける少なくとも１つのＳＳＢのビーム識別子のうちの少なくとも１つを指示することに用いられる。
【００５６】
いくつかの可能な実施形態では、前記端末装置は前記第１周期内の第７時間周波数リソースにおいて前記第２指示情報を受信する。
【００５７】
いくつかの可能な実施形態では、前記第２指示情報は、前記第１周期内の前記第７時間周波数リソースよりも早い時間周波数リソースにおける前記ＳＳＢグループ中の少なくとも１つのＳＳＢの既送信回数情報、前記第１周期内の前記第７時間周波数リソースよりも遅い時間周波数リソースにおける前記ＳＳＢグループ中の少なくとも１つのＳＳＢの送信待ち回数情報、前記第１周期内の前記第７時間周波数リソースよりも遅い時間周波数リソースにおける前記ＳＳＢグループ中の少なくとも１つのＳＳＢの候補位置情報のうちの少なくとも１つを指示することに用いられる。
【００５８】
従って、端末装置は前記第２指示情報に応じて、該第１周期内の該ＳＳＢグループにおける少なくとも１つのＳＳＢの情報を決定し、更に該ＳＳＢグループの情報に応じて、特定の位置で該ＳＳＢグループにおける少なくとも１つのＳＳＢを受信し、又は該ＳＳＢグループにおけるあるＳＳＢの受信成功回数が最大回数に達した（例えば、第１ＳＳＢをＮ１回受信し、第２ＳＳＢをＮ２回受信した）後、他の時間周波数リソースにおいて該ＳＳＢグループにおける該ＳＳＢを受信しなくなり、それにより端末装置のブラインド検出の複雑さを低下させることができる。又は、端末装置は前記第２指示情報に応じて該ＳＳＢグループの時間周波数リソース位置を決定し、且つデータ受信時に該ＳＳＢグループにおける少なくとも１つのＳＳＢに対してレートマッチングを行う。
【００５９】
第３態様によれば、ネットワーク装置を提供し、上記第１態様又は第１態様の可能な実施形態のいずれかに記載の方法を実行することに用いられる。具体的に、該ネットワーク装置は上記第１態様又は第１態様の可能な実施形態のいずれかに記載の方法を実行することに用いられるユニットを備える。
【００６０】
第４態様によれば、端末装置を提供し、メモリ、プロセッサ、入力インターフェース及び出力インターフェースを備える。メモリ、プロセッサ、入力インターフェース及び出力インターフェースはバスシステムによって接続される。該メモリは命令を記憶することに用いられ、該プロセッサは該メモリに記憶される命令を実行することに用いられ、上記第１態様又は第１態様の可能な実施形態のいずれかに記載の方法を実行することに用いられる。
【００６１】
第５態様によれば、ネットワーク装置を提供し、上記第２態様又は第２態様の可能な実施形態のいずれかに記載の方法を実行することに用いられる。具体的に、該ネットワーク装置は上記第２態様又は第２態様の可能な実施形態のいずれかに記載の方法を実行することに用いられるユニットを備える。
【００６２】
第６態様によれば、端末装置を提供し、メモリ、プロセッサ、入力インターフェース及び出力インターフェースを備える。メモリ、プロセッサ、入力インターフェース及び出力インターフェースはバスシステムによって接続される。該メモリは命令を記憶することに用いられ、該プロセッサは該メモリに記憶される命令を実行することに用いられ、上記第２態様又は第２態様の可能な実施形態のいずれかに記載の方法を実行することに用いられる。
【００６３】
第７態様によれば、コンピュータ記憶媒体を提供し、上記第１態様又は第１態様の可能な実施形態のいずれかに記載の方法を実行するためのコンピュータソフトウェア命令を記憶することに用いられ、上記態様を実行するために設計されるプログラムを含む。
【００６４】
第８態様によれば、命令を含むコンピュータプログラム製品を提供し、コンピュータによって実行される時、コンピュータに上記第１態様又は第１態様の可能な実施形態のいずれかに記載の方法を実行させる。
【００６５】
第９態様によれば、コンピュータ記憶媒体を提供し、上記第２態様又は第２態様の可能な実施形態のいずれかに記載の方法を実行するためのコンピュータソフトウェア命令を記憶することに用いられ、上記態様を実行するために設計されるプログラムを含む。
【００６６】
第１０態様によれば、命令を含むコンピュータプログラム製品を提供し、コンピュータによって実行される時、コンピュータに上記第２態様又は第２態様の可能な実施形態のいずれかに記載の方法を実行させる。
【図面の簡単な説明】
【００６７】
【図１】図１では本願の実施例による信号伝送方法の模式的なフローチャートを示す。
【図２】図２では本願の実施例による信号伝送方法の一例の模式図を示す。
【図３】図３では本願の他の実施例による信号伝送方法の模式的なフローチャートを示す。
【図４】図４では本願の実施例によるネットワーク装置の模式的なブロック図を示す。
【図５】図５では本願の実施例による端末装置の模式的なブロック図を示す。
【図６】図６では本願の他の実施例によるネットワーク装置の模式的なブロック図を示す。
【図７】図７では本願の他の実施例による端末装置の模式的なブロック図を示す。
【発明を実施するための形態】
【００６８】
以下、本願の実施例の図面を参照しながら本願の実施例の技術案を説明する。
【００６９】
本願の実施例は、例えば、モバイル通信用グローバルシステム（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ、ＧＰＲＳ）、ロングタームエボリューション（Ｌｏｎｇ  Ｔｅｒｍ  Ｅｖｏｌｕｔｉｏｎ、ＬＴＥ）システム、発展型ロングタームエボリューション（Ａｄｖａｎｃｅｄ  ｌｏｎｇ  ｔｅｒｍ  ｅｖｏｌｕｔｉｏｎ、ＬＴＥ−Ａ）システム、新無線（Ｎｅｗ  Ｒａｄｉｏ、ＮＲ）システム、ＮＲシステムの発展システム、アンライセンススペクトルにおけるＬＴＥ（ＬＴＥ−ｂａｓｅｄ  ａｃｃｅｓｓ  ｔｏ  ｕｎｌｉｃｅｎｓｅｄ  ｓｐｅｃｔｒｕｍ、ＬＴＥ−Ｕ）システム、アンライセンススペクトルにおけるＮＲ（ＮＲ−ｂａｓｅｄ  ａｃｃｅｓｓ  ｔｏ  ｕｎｌｉｃｅｎｓｅｄ  ｓｐｅｃｔｒｕｍ、ＮＲ−Ｕ）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）、無線ローカルエリアネットワーク（Ｗｉｒｅｌｅｓｓ  Ｌｏｃａｌ  Ａｒｅａ  Ｎｅｔｗｏｒｋｓ、ＷＬＡＮ）、ウィレルスフィデルティ（Ｗｉｒｅｌｅｓｓ  Ｆｉｄｅｌｉｔｙ、ＷｉＦｉ）、次世代通信システム又は他の通信システム等の各種の通信システムに適用できる。
【００７０】
通常、従来の通信システムがサポートする接続の数は限られ、実現しやすいが、通信技術の発展につれて、モバイル通信システムは従来の通信をサポートするだけでなく、例えば、デバイスツーデバイス（Ｄｅｖｉｃｅ  ｔｏ  Ｄｅｖｉｃｅ、Ｄ２Ｄ）通信、マシンツーマシン（Ｍａｃｈｉｎｅ  ｔｏ  Ｍａｃｈｉｎｅ、Ｍ２Ｍ）通信、マシンタイプ通信（Ｍａｃｈｉｎｅ  Ｔｙｐｅ  Ｃｏｍｍｕｎｉｃａｔｉｏｎ、ＭＴＣ）、及び車車間（Ｖｅｈｉｃｌｅ  ｔｏ  Ｖｅｈｉｃｌｅ、Ｖ２Ｖ）通信等をサポートし、本願の実施例はこれらの通信システムにも適用できる。
【００７１】
選択肢として、本願の実施例の通信システムはキャリアアグリゲーション（ＣＡ、Ｃａｒｒｉｅｒ  Ａｇｇｒｅｇａｔｉｏｎ）のシーンに適用されてもよく、デュアルコネクティビティ（ＤＣ、Ｄｕａｌ  Ｃｏｎｎｅｃｔｉｖｉｔｙ）のシーンに適用されてもよく、スタンドアロン（ＳＡ、Ｓｔａｎｄａｌｏｎｅ）ネットワーク構築のシーンに適用されてもよい。
【００７２】
本願の実施例は適用されるスペクトルを限定しない。例えば、本願の実施例はライセンススペクトルに適用されてもよく、アンライセンススペクトルに適用されてもよい。
【００７３】
本願の実施例ではネットワーク装置及び端末装置に合わせて各実施例を説明し、ここで、端末装置はユーザー装置（Ｕｓｅｒ  Ｅｑｕｉｐｍｅｎｔ、ＵＥ）、アクセス端末、ユーザーユニット、ユーザー局、移動局、移動ステーション、遠隔局、遠隔端末、移動装置、ユーザー端末、端末、無線通信装置、ユーザーエージェント又はユーザーデバイス等とも呼ばれてもよい。端末装置はＷＬＡＮにおけるステーション（ＳＴＡＩＯＮ、ＳＴ）であってもよく、セルラーホン、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、ワイヤレスローカルループ（Ｗｉｒｅｌｅｓｓ  Ｌｏｃａｌ  Ｌｏｏｐ、ＷＬＬ）局、パーソナルデジタルアシスタント（Ｐｅｒｓｏｎａｌ  Ｄｉｇｉｔａｌ  Ａｓｓｉｓｔａｎｔ、ＰＤＡ）装置、無線通信機能を有するハンドヘルドデバイス、コンピューティング装置又は無線モデルに接続される他の処理装置、車載装置、ウェアラブル装置、及び次世代通信システム、例えば、ＮＲネットワークにおける端末装置又は将来の発展型地上波公共移動通信ネットワーク（Ｐｕｂｌｉｃ  Ｌａｎｄ  Ｍｏｂｉｌｅ  Ｎｅｔｗｏｒｋ、ＰＬＭＮ）ネットワークにおける端末装置等であってもよい。
【００７４】
非限定的な例として、本願の実施例では、該端末装置は更にウェアラブル装置であってもよい。ウェアラブル装置はウェアラブルスマート装置とも呼ばれてもよく、ウェアラブル技術を用いて日常の着用物をスマート化設計し、開発される着用可能な装置の総称であり、例えば、眼鏡、手袋、腕時計、衣類及び靴等が挙げられる。ウェアラブル装置は体に直接着用され、又はユーザーの衣類やアクセサリに統合された携帯型装置である。ウェアラブル装置はハードウェア装置であるだけでなく、ソフトウェアサポート及びデータ交換、クラウドインタラクションによって強力な機能を実現する。広義ではウェアラブルスマート装置は機能が完全で、寸法が大きく、スマートフォンに依存せずに全部又は一部の機能を実現するもの、例えばスマートウォッチ又はスマートグラス等と、ある種類の応用機能に集中し、他の装置例えばスマートフォンと組み合わせて使用する必要があるもの、例えば身体的兆候をモニタリングする各種類のスマートブレスレット、スマートアクセサリー等とを含む。
【００７５】
ネットワーク装置はモバイル装置と通信するための装置であってもよく、ネットワーク装置はＷＬＡＮにおけるアクセスポイント（Ａｃｃｅｓｓ  Ｐｏｉｎｔ、ＡＰ）、ＧＳＭ又はＣＤＭＡにおける基地局（Ｂａｓｅ  Ｔｒａｎｓｃｅｉｖｅｒ  Ｓｔａｔｉｏｎ、ＢＴＳ）であってもよく、ＷＣＤＭＡにおける基地局（ＮｏｄｅＢ、ＮＢ）であってもよく、更にＬＴＥにおける発展型基地局（Ｅｖｏｌｕｔｉｏｎａｌ  Ｎｏｄｅ  Ｂ、ｅＮＢ又はｅＮｏｄｅＢ）、又は中継局又はアクセスポイント、又は車載装置、ウェアラブル装置及びＮＲネットワークにおけるネットワーク装置又は将来の発展型ＰＬＭＮネットワークにおけるネットワーク装置等であってもよい。
【００７６】
本願の実施例では、ネットワーク装置はセルにサービスを提供し、端末装置は該セルに使用される伝送リソース（例えば、周波数領域リソース、又は、スペクトルリソース）によってネットワーク装置と通信し、該セルはネットワーク装置（例えば、基地局）に対応するセルであってもよく、セルはマクロ基地局に属してもよく、スモールセル（Ｓｍａｌｌ  ｃｅｌｌ）に対応する基地局に属してもよく、ここで、スモールセルはメトロセル（Ｍｅｔｒｏ  ｃｅｌｌ）、マイクロセル（Ｍｉｃｒｏ  ｃｅｌｌ）、ピコセル（Ｐｉｃｏ  ｃｅｌｌ）、フェムトセル（Ｆｅｍｔｏ  ｃｅｌｌ）等を含んでもよく、これらのスモールセルはカバレッジ範囲が小さく、送信電力が低い特徴を有し、高速データ伝送サービスの提供に適する。
【００７７】
選択肢として、本願の実施例のダウンリンク物理チャネルは物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）、拡張物理ダウンリンク制御チャネル（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ、ＥＰＤＣＣＨ）、物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）、物理ＨＡＲＱ指示チャネル（Ｐｈｙｓｉｃａｌ  Ｈｙｂｒｉｄ  ＡＲＱ  Ｉｎｄｉｃａｔｏｒ  Ｃｈａｎｎｅｌ、ＰＨＩＣＨ）、物理マルチキャストチャネル（Ｐｈｙｓｉｃａｌ  Ｍｕｌｔｉｃａｓｔ  Ｃｈａｎｎｅｌ、ＰＭＣＨ）、物理ブロードキャストチャネル（Ｐｈｙｓｉｃａｌ  Ｂｒｏａｄｃａｓｔ  Ｃｈａｎｎｅｌ、ＰＢＣＨ）等を含んでもよい。ダウンリンク参照信号はダウンリンク同期信号（Ｓｙｎｃｈｒｏｎｉｚａｔｉｏｎ  Ｓｉｇｎａｌ）、位相トラッキング用参照信号（Ｐｈａｓｅ  Ｔｒａｃｋｉｎｇ  Ｒｅｆｅｒｅｎｃｅ  Ｓｉｇｎａｌ、ＰＴ−ＲＳ）、ダウンリンク復調参照信号（ＤｅＭｏｄｕｌａｔｉｏｎ  Ｒｅｆｅｒｅｎｃｅ  Ｓｉｇｎａｌ、ＤＭＲＳ）、チャネル状態情報参照信号（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ、ＣＳＩ−ＲＳ）等を含んでもよく、ここで、ダウンリンク同期信号は通信装置のネットワークへのアクセス及び無線リソースの管理測定に用いられ、ダウンリンクＤＭＲＳはダウンリンクチャネルの復調に用いられ、ＣＳＩ−ＲＳはダウンリンクチャネルの測定、ダウンリンク時間周波数の同期又は位相トラッキングに用いられ、ＰＴ−ＲＳもダウンリンクチャネルの測定、ダウンリンク時間周波数の同期又は位相トラッキングに用いられるようにしてもよい。理解されるように、本願の実施例では、上記名称と同じで、機能が異なるダウンリンク物理チャネル又はダウンリンク参照信号を含んでもよく、上記名称と異なり、機能が同じであるダウンリンク物理チャネル又はダウンリンク参照信号を含んでもよいが、本願ではそれを限定しない。
【００７８】
選択肢として、本願の実施例のアップリンク物理チャネルは物理ランダムアクセスチャネル（ＰＲＡＣＨ、Ｐｈｙｓｉｃａｌ  Ｒａｎｄｏｍ  Ａｃｃｅｓｓ  ＣＨａｎｎｅｌ）、物理アップリンク制御チャネル（ＰＵＣＣＨ、Ｐｈｙｓｉｃａｌ  Ｕｐｌｉｎｋ  Ｃｏｎｔｒｏｌ  ＣＨａｎｎｅｌ）、物理アップリンク共有チャネル（ＰＵＳＣＨ、Ｐｈｙｓｉｃａｌ  Ｕｐｌｉｎｋ  Ｓｈａｒｅｄ  ＣＨａｎｎｅｌ）等を含んでもよい。アップリンク参照信号はアップリンク復調参照信号（ＤｅＭｏｄｕｌａｔｉｏｎ  Ｒｅｆｅｒｅｎｃｅ  Ｓｉｇｎａｌ、ＤＭＲＳ）、サウンディング参照信号（Ｓｏｕｎｄｉｎｇ  Ｒｅｆｅｒｅｎｃｅ  Ｓｉｇｎａｌ、ＳＲＳ）、位相トラッキング用参照信号（Ｐｈａｓｅ  Ｔｒａｃｋｉｎｇ  Ｒｅｆｅｒｅｎｃｅ  Ｓｉｇｎａｌ、ＰＴ−ＲＳ）等を含んでもよい。アップリンクＤＭＲＳはアップリンクチャネルの復調に用いられ、ＳＲＳはアップリンクチャネルの測定、アップリンク時間周波数の同期又は位相トラッキングに用いられ、ＰＴ−ＲＳもアップリンクチャネルの測定、アップリンク時間周波数の同期又は位相トラッキングに用いられるようにしてもよい。理解されるように、本願の実施例では、上記名称と同じで、機能が異なるアップリンク物理チャネル又はアップリンク参照信号を含んでもよく、上記名称と異なり、機能が同じアップリンク物理チャネル又はアップリンク参照信号を含んでもよいが、本願ではそれを限定しない。
【００７９】
以下、図１〜図３を参照しながら本願の実施例の信号伝送方法を説明し、理解されるように、図１〜図３は本願の実施例における信号伝送方法の模式的なフローチャートであり、該方法の詳細な通信ステップ又は操作を示しているが、これらのステップ又は操作は単に例であり、本願の実施例は更に他の操作又は図１〜図３における各種の操作の変形を実行してもよい。
【００８０】
また、図１〜図３における各ステップはそれぞれ図１〜図３に示される順序と異なる順序で実行されてもよく、且つ必ずしも図１〜図３におけるすべての操作を実行するとは限らない。
【００８１】
図１は本願の実施例における信号伝送方法の模式的なフローチャートであり、図１に示すように、該方法１００は、
ネットワーク装置は第１キャリアを検出し、検出結果に応じてＭ１個の時間周波数リソースから、チャネル使用権を取得した第１時間周波数リソースを決定し、前記Ｍ１個の時間周波数リソースは前記ネットワーク装置が前記第１キャリアでの第１周期に対して構成した、第１同期信号ブロック（ＳＳＢ）の伝送に使用できる時間周波数リソースであり、Ｍ１が正の整数であって、Ｍ１≧２であるステップＳ１１０と、
前記ネットワーク装置が前記第１時間周波数リソースによって前記第１ＳＳＢを端末装置に送信するステップＳ１２０と、を含む。
【００８２】
具体的に、ネットワーク装置は第１キャリアでの第１周期に対してＭ１個の時間周波数リソースを構成でき、該Ｍ１個の時間周波数リソースは該ネットワーク装置が該第１キャリアでの第１周期内に第１ＳＳＢの伝送に使用できる時間周波数リソースであり、即ち、該Ｍ１個の時間周波数リソースは該第１ＳＳＢの伝送に使用でき、又は、該Ｍ１個の時間周波数リソースは該第１ＳＳＢの伝送に使用できる候補時間周波数リソースと見なしてもよいが、実際の伝送では、該Ｍ１個の時間周波数リソースがすべて該第１ＳＳＢの伝送に使用されるか否かについて、本願の実施例ではそれを限定せず、即ち、該Ｍ１個の時間周波数リソースは実際に第１ＳＳＢの伝送に使用される時間周波数リソース及び第１ＳＳＢの伝送に使用されていない時間周波数リソースを含んでもよい。
【００８３】
例えば、該Ｍ１個の時間周波数リソースが時間周波数リソース１、時間周波数リソース２及び時間周波数リソース３を含む場合、該時間周波数リソース１、時間周波数リソース２及び時間周波数リソース３は該第１ＳＳＢの伝送に使用できる時間周波数リソースである。実際の伝送では、時間周波数リソース１のみで該第１ＳＳＢを伝送する場合、該時間周波数リソース１は実際に該第１ＳＳＢの伝送に使用される時間周波数リソースであり、該時間周波数リソース２及び該時間周波数リソース３は該第１ＳＳＢの伝送に使用されていない時間周波数リソースである。
【００８４】
選択肢として、本願の実施例では、該Ｍ１個の時間周波数リソースのうち少なくとも１つの時間周波数リソースは該第１ＳＳＢの伝送に使用されない。
【００８５】
本願の実施例では、ネットワーク装置は該第１キャリアに対してチャネル検出を行い、チャネル検出の結果に応じて、該Ｍ１個の時間周波数リソースのうち利用可能な時間周波数リソース、即ちチャネル使用権を取得した時間周波数リソースを決定する。例えば、該Ｍ１個の時間周波数リソースのうちの時間周波数リソースＫにおけるチャネル検出の結果としてチャネルがアイドルである場合、該時間周波数リソースＫが利用可能であることを決定し、即ち、該時間周波数リソースＫのチャネル使用権を取得したことを決定し、さもないと、該時間周波数リソースＫが利用不能であることを決定し、即ち、該時間周波数リソースＫのチャネル使用権を取得していないことを決定する。チャネル使用権を取得した時間周波数リソースは第１時間周波数リソースを含んでもよく、更に、該ネットワーク装置は該第１時間周波数リソースによって該第１ＳＳＢを端末装置に送信するようにしてもよい。
【００８６】
従って、本願の実施例では、ネットワーク装置は第１周期内に該第１ＳＳＢの伝送に使用できる複数の時間周波数リソースを構成でき、それによりＳＳＢの送信機会を増加させることに寄与し、且つ該ネットワーク装置は第１キャリアに対してチャネル検出を行い、チャネル検出の結果に応じて該第１周期内のＭ１個の時間周波数リソースのうち利用可能な第１時間周波数リソースを決定でき、更に該Ｍ１個の時間周波数リソースの各々又は特定の時間周波数リソースにおいて第１ＳＳＢを送信することではなく、該第１時間周波数リソースによって該第１ＳＳＢを送信し、それにより該第１ＳＳＢを効果的に伝送できるだけでなく、リソース利用効率の向上に寄与する。
【００８７】
選択肢として、本願の実施例では、該第１時間周波数リソースは１つの時間周波数リソースを含んでもよく、又は複数の時間周波数リソースを含んでもよい。
【００８８】
選択肢として、本願の実施例では、該第１キャリアはアンライセンスキャリアであってもよく、又はライセンスキャリアであってもよいが、本願の実施例ではそれを限定しない。
【００８９】
なお、ネットワーク装置は該第１時間周波数リソースの前にチャネル使用権を取得した（例えば、ネットワーク装置は第１時間周波数リソースの前にデータ伝送を開始した）場合、該ネットワーク装置が該第１キャリアに対してチャネル検出を行うことはデータ伝送前の時間リソースにおいて行われ、これに対応して、該ネットワーク装置は該第１時間周波数リソースのチャネル使用権を取得したと判断し、チャネル検出を行う必要がない。又は、ネットワーク装置は該第１時間周波数リソースの前にチャネル検出を行い、該第１時間周波数リソースが利用可能であるか否かを決定し、それにより、利用可能である場合、第１ＳＳＢを送信する。理解されるように、本願の実施例はネットワーク装置が第１キャリアに対してチャネル検出を行う具体的な位置を特に限定せず、チャネル検出の結果に応じてＭ１個の時間周波数リソースが利用可能であるか否かを決定できればよい。
【００９０】
選択肢として、本願の実施例では、該Ｍ１個の時間周波数リソースにおいてチャネル検出が全部失敗し、即ち、該Ｍ１個の時間周波数リソースのうちのいずれかの時間周波数リソースのチャネル使用権を取得していない場合、該ネットワーク装置は該第１周期内に第１ＳＳＢの送信を行わなくてもよい。更に、該ネットワーク装置は該第１周期の後の第２周期内に該第１キャリアに対してチャネル検出を行い、且つ該第２周期内のチャネル検出の結果に応じて該第１ＳＳＢの送信を行ってもよい。具体的な実現プロセスについては第１周期における実現プロセスを参照すればよいため、ここでは繰り返して説明しない。
【００９１】
理解されるように、ネットワーク装置が第１周期又は第２周期内に該第１ＳＳＢを送信する回数は、該周期内にネットワーク装置によって取得されたチャネル使用権の状況に関連してもよく、例えば、ネットワーク装置は第１周期内に該第１ＳＳＢを送信しないが、第２周期内に該第１ＳＳＢを１回送信する。
【００９２】
選択肢として、ネットワーク装置はＳＳＢの候補時間周波数リソースを構成する際に、周期ごとに構成し、即ち、各周期内にＳＳＢの候補時間周波数リソースが同様に構成される。第１周期は該構成周期のうちの１つの周期であり、第２周期は該構成周期のうちの他の１つの周期であり、第１周期と第２周期の長さは同じであり、第２周期は第１周期の後にある。例えば、ネットワーク装置はＳＳＢの候補時間周波数リソースの周期を８０ｍｓとして構成し、第１周期が１〜８０ｍｓに対応するとすると、第２周期が８１〜１６０ｍｓに対応してもよい。
【００９３】
選択肢として、該候補時間周波数リソースの構成周期の長さは４０ｍｓ、８０ｍｓ、又は１６０ｍｓ等のうちのいずれかであってもよい。
【００９４】
選択肢として、本願の実施例では、候補時間周波数リソースの構成周期の長さ（即ち、前記第１周期の長さ）は通信システムによって指定され、又はネットワーク装置によって構成され、又はネットワーク装置及び端末装置の両方によって共通に決定されてもよいが、本願の実施例では該第１周期の長さの決定方式を限定しない。
【００９５】
選択肢として、いくつかの実施例では、前記第１周期の長さは、前記ネットワーク装置によってサービスされる端末装置の数、前記ネットワーク装置によってサービスされるセルのカバレッジ範囲、前記端末装置が前記ネットワーク装置にアクセスする遅延要件のうちの少なくとも１つに応じて決定される。
【００９６】
例えば、ネットワーク装置によってサービスされる端末装置の数が多い場合、短い第１周期を構成でき、それにより端末装置が初期アクセスを行い又はランダムアクセスを開始しようとするとき、該ＳＳＢをタイムリーに取得でき、端末装置のネットワークへのアクセスの遅延を短縮させ、ユーザー体験を向上させる。又は、ネットワーク装置によってサービスされるセルのカバレッジ範囲が大きい場合、短い第１周期を構成でき、セルのカバレッジ範囲が大きいことは、ある程度、該ネットワーク装置によってサービスされる端末装置の数が多いと見なされてもよく、従って、短い第１周期を構成することで、端末装置がネットワークにアクセスしようとするとき、ＳＳＢをタイムリーに取得でき、迅速に初期アクセスを行うことができる。又は、端末装置のアクセス遅延要件が高い場合、ネットワーク装置によるＳＳＢ送信の頻度が更に高く、従って、短い第１周期を構成することで、端末装置が初期アクセスを開始しようとするとき、ＳＳＢをタイムリーに取得でき、迅速にアクセスすることができる。
【００９７】
また例えば、該第１周期は前記ネットワーク装置によってサービスされる端末装置の数、前記ネットワーク装置によってサービスされるセルのカバレッジ範囲、前記端末装置が前記ネットワーク装置にアクセスする遅延要件のうちの少なくとも２つに応じて決定されてもよく、例えば、ネットワーク装置によってサービスされるセルのカバレッジ範囲が特定の閾値よりも大きく、且つ端末装置のネットワークにアクセスする時間領域要求が特定の閾値よりも高い場合、短い第１周期を構成し、又は、ネットワーク装置によってサービスされる端末装置の数が特定の閾値未満であり、且つネットワーク装置によってサービスされるセルの範囲が特定の閾値未満である場合、長い第１周期を構成してもよいが、本願の実施例ではそれを限定しない。
【００９８】
選択肢として、いくつかの実施例では、前記ネットワーク装置が前記第１周期内に前記第１ＳＳＢを送信する最大回数はＮ１であり、Ｎ１が正の整数であって、１≦Ｎ１＜Ｍ１である。
【００９９】
選択肢として、ネットワーク装置又は通信システムは前記第１周期の長さ、前記ネットワーク装置によってサービスされる端末装置の数、前記ネットワーク装置によってサービスされるセルのカバレッジ範囲、及び前記端末装置が前記ネットワーク装置にアクセスする遅延要件のうちの少なくとも１つに応じて、前記第１周期における前記第１ＳＳＢの最大送信回数を決定する。
【０１００】
従って、本願の実施例では、ネットワーク装置はＭ１個の時間周波数リソースの各々で第１ＳＳＢを送信することではなく、該Ｍ１個の時間周波数リソースの一部のみで該第１ＳＳＢを送信することができ、ＳＳＢの送信回数を削減でき、それによりＳＳＢ送信用のリソースオーバーヘッドを削減できる。
【０１０１】
選択肢として、該Ｎ１の値は通信システムによって指定され、又はネットワーク装置によって構成され、又はネットワーク装置及び端末装置の両方によって共通に決定されてもよいが、本願の実施例ではそれを限定しない。
【０１０２】
選択肢として、いくつかの実施例では、前記ネットワーク装置が前記第１周期内に前記第１時間周波数リソースの前に前記第１ＳＳＢを送信する回数はＮ１未満である。
【０１０３】
即ち、該第１時間周波数リソースは該第１ＳＳＢのＮ１回伝送のうちの１回の伝送に使用される時間周波数リソースであってもよく、例えば、該第１時間周波数リソースは該第１ＳＳＢの１回目伝送に使用されてもよく、又は該第１ＳＳＢのＮ１回目伝送に使用されてもよく、又は該Ｎ１回伝送のうち中間の１回伝送に使用されてもよく、本願の実施例ではそれを限定しない。
【０１０４】
選択肢として、いくつかの実施例では、前記方法１００は更に、
前記ネットワーク装置は前記Ｍ１個の時間周波数リソースのうち第２時間周波数リソースよりも遅い時間周波数リソースにおいて、前記第１ＳＳＢを送信しないことを含み、
前記第２時間周波数リソースは、前記Ｍ１個の時間周波数リソースのうち前記ネットワーク装置が前記第１ＳＳＢをＮ１回目送信する時間周波数リソースである。
【０１０５】
具体的に、ネットワーク装置は該Ｍ１個の時間周波数リソースのうちチャネル使用権を取得したＮ１個の時間周波数リソースを使用して該第１ＳＳＢをＮ１回伝送し、ここで、該第２時間周波数リソースは該Ｎ１回の伝送のうちのＮ１回目伝送に使用される時間周波数リソースである場合、該Ｍ１個の時間周波数リソースのうち該第２時間周波数リソースの後の他の時間周波数リソースにおいて、該ネットワーク装置は該第１ＳＳＢを送信せず、即ち、ネットワーク装置は該Ｍ１個の時間周波数リソースにおいて該第１ＳＳＢをＮ１回伝送した後、該Ｍ１個の時間周波数リソースのうちの他の候補時間周波数リソースにおいて該第１ＳＳＢを伝送しなくなる。従って、本願の実施例における信号伝送方法によれば、ＳＳＢの送信機会を増加させ、ＳＳＢを効果的に伝送できるだけでなく、ＳＳＢの送信回数を削減でき、それによりＳＳＢ送信用のリソースオーバーヘッドを削減できる。
【０１０６】
選択肢として、いくつかの実施例では、該第２時間周波数リソースの後の他の候補時間周波数リソースにおいて、ネットワーク装置はデータを伝送してもよく、それによりリソース利用率を向上させることができる。
【０１０７】
選択肢として、該第１時間周波数リソースは該第１ＳＳＢのＮ１回目伝送に使用される時間周波数リソースである場合、該第１時間周波数リソースと該第２時間周波数リソースは同じである。
【０１０８】
選択肢として、いくつかの実施例では、前記第１時間周波数リソースはＫ１個の時間周波数リソースのうちの１つの時間周波数リソースであり、前記Ｋ１個の時間周波数リソースは前記Ｍ１個の時間周波数リソースのうち前記第１ＳＳＢの送信に使用される時間周波数リソースであり、Ｋ１が正の整数であって、１≦Ｋ１≦Ｎ１である。
【０１０９】
理解されるように、ここでの該Ｋ１個の時間周波数リソースは実際に該第１ＳＳＢの伝送に使用される時間周波数リソースであり、又は、該Ｋ１個の時間周波数リソースにおいて該第１ＳＳＢが伝送され、即ち、ネットワーク装置は該Ｋ１個の時間周波数リソースにおいて該第１ＳＳＢをＫ１回伝送し、該第１時間周波数リソースは該Ｋ１個の時間周波数リソースのうちの１つの時間周波数リソースであってもよい。選択肢として、該第１時間周波数リソースは該Ｋ１回伝送のうちのいずれかに使用される時間周波数リソースであってもよく、本願の実施例では、該第１時間周波数リソースの該Ｋ１個の時間周波数リソースでの位置を特に限定しない。
【０１１０】
選択肢として、いくつかの実施例では、前記Ｋ１個の時間周波数リソースは前記Ｍ１個の時間周波数リソースのうち前記ネットワーク装置がチャネル使用権を取得した先頭Ｋ１個の時間周波数リソースである。
【０１１１】
例えば、該ネットワーク装置がＭ１個の時間周波数リソースのうちのＰ（Ｐ≧Ｋ１）個の時間周波数リソースにおいてチャネル使用権を取得した場合、該Ｋ１個の時間周波数リソースは該Ｐ個の時間周波数リソースのうちの先頭Ｋ１個の時間周波数リソースであってもよく、該Ｋ１個の時間周波数リソースはそれぞれ該第１ＳＳＢのＫ１回伝送に対応する。
【０１１２】
選択肢として、いくつかの実施例では、前記第１周期はＭ１個のサブ周期を含み、前記Ｍ１個のサブ周期の各々は前記Ｍ１個の時間周波数リソースのうちの１つの時間周波数リソースを含み、即ち、前記Ｍ１個のサブ周期は前記Ｍ１個の時間周波数リソースに一対一対応する。
【０１１３】
すなわち、Ｍ１個のサブ周期の各々に、該第１ＳＳＢの伝送に使用できる１つの候補時間周波数リソースを構成でき、選択肢として、各サブ周期内の、該第１ＳＳＢの伝送に使用できる候補時間周波数リソースの位置は同じである。
【０１１４】
例えば、該第１周期は第１サブ周期及び第２サブ周期を含み、該Ｍ１個の時間周波数リソースは第３時間周波数リソース及び第４時間周波数リソースを含み、該第３時間周波数リソースは該第１サブ周期内の候補時間周波数リソースであり、該第４時間周波数リソースは該第２サブ周期内の候補時間周波数リソースである場合、該第３時間周波数リソースの第１サブ周期での位置と該第４時間周波数リソースの該第２サブ周期での位置は同じである。
【０１１５】
理解されるように、実際に該第１ＳＳＢの伝送に使用される該Ｋ１個の時間周波数リソースはそれぞれＫ１個のサブ周期に対応し、該Ｋ１個のサブ周期は該Ｍ１個のサブ周期内に連続してもよく、不連続であってもよく、本願の実施例ではそれを限定しない。
【０１１６】
選択肢として、いくつかの実施例では、前記ネットワーク装置は更に第１指示情報を前記端末装置に送信してもよく、前記第１指示情報は前記第１周期内に前記第１ＳＳＢの情報を送信するように前記ネットワーク装置に指示することに用いられる。
【０１１７】
選択肢として、前記第１指示情報は、前記第１周期における前記第１ＳＳＢの最大送信回数情報、前記第１ＳＳＢの識別子、前記第１ＳＳＢのビーム識別子のうちの少なくとも１つを指示することに用いられる。
【０１１８】
選択肢として、１つのビームのビーム指示情報は、該ビームと疑似コロケーション（Ｑｕａｓｉ−Ｃｏ−Ｌｏｃａｔｅｄ、ＱＣＬ）関係を満たす参照信号の信号インデックス又はビーム識別子を含む。
【０１１９】
選択肢として、本願の実施例では、１つの信号を受信するために使用されるビームは、１つの信号を受信するために使用される空間領域受信フィルタ（Ｓｐａｔｉａｌ  ｄｏｍａｉｎ  ｒｅｃｅｐｔｉｏｎ  ｆｉｌｔｅｒ）と見なされてもよい。１つの信号を送信するために使用されるビームは、１つの信号を送信するために使用される空間領域伝送フィルタ（Ｓｐａｔｉａｌ  ｄｏｍａｉｎ  ｔｒａｎｓｍｉｓｓｉｏｎ  ｆｉｌｔｅｒ）と見なされてもよい。同一の空間領域送信フィルタによって送信される２つの信号については、これらの２つの信号は空間受信パラメータに対してＱＣＬであると考えられる。
【０１２０】
非限定的な例として、該第１指示情報は該ネットワーク装置が該第１周期内に送信すべき該第１ＳＳＢの識別子、回数、リソース位置、該第１ＳＳＢを送信するために使用されるビーム識別子等の情報を指示することに用いられる。
【０１２１】
それにより、端末装置は前記第１指示情報に応じて該第１ＳＳＢのリソース位置、送信回数等の情報を決定でき、更に特定のリソース位置で該第１ＳＳＢを受信でき、又は該第１ＳＳＢを特定の回数だけ受信してもよく、端末装置のブラインド検出の複雑さの低下に寄与する。
【０１２２】
選択肢として、具体的な実施例では、前記ネットワーク装置は前記第１周期内の第５時間周波数リソースにおいて前記第１指示情報を送信してもよい。
【０１２３】
この場合、前記第１指示情報は、前記第１周期内の前記第５時間周波数リソースよりも早い時間周波数リソースにおける前記第１ＳＳＢの既送信回数情報、前記第１周期内の前記第５時間周波数リソースよりも遅い時間周波数リソースにおける前記第１ＳＳＢの送信待ち回数情報、前記第１周期内の前記第５時間周波数リソースよりも遅い時間周波数リソースにおける前記第１ＳＳＢの候補位置情報のうちの少なくとも１つを指示することに用いられる。
【０１２４】
従って、端末装置は前記第１指示情報に応じて、該第１周期内の該第１ＳＳＢの情報を決定し、更に該第１ＳＳＢの情報に応じて、該第１ＳＳＢを受信し、例えば、特定のリソース位置で該第１ＳＳＢを受信し、又はＮ１回の受信の成功後、他の時間周波数リソースにおいて該第１ＳＳＢを受信し続けなくてもよく、端末装置のブラインド検出の複雑さを低下させることができる。又は、端末装置は前記第１指示情報に応じて該第１ＳＳＢの時間周波数リソース位置を決定し、且つデータ受信時に該第１ＳＳＢに対してレートマッチングを行ってもよい。
【０１２５】
選択肢として、本願の実施例では、ＳＳＢの時間周波数リソースの位置に応じてレートマッチングを行うこととは、端末装置のデータ伝送用にスケジューリングされる時間周波数リソースがＳＳＢの候補時間周波数リソースを含む場合、端末装置は実際に送信されるＳＳＢに応じてレートマッチングを行う必要があることを指す。非限定的な例として、第１指示情報は１つの候補時間周波数リソースが第１ＳＳＢの送信に使用されることを指示し、端末装置はデータを受信する時、該時間周波数リソースがデータ伝送に使用されていないことを仮定でき、又は、第１指示情報は１つの候補時間周波数リソースが第１ＳＳＢの送信に使用されていないことを指示し、端末装置はデータを受信する時、該時間周波数リソースがデータ伝送に使用されることを仮定できる。
【０１２６】
理解されるように、本願の実施例の時間周波数リソースは時間領域リソース及び／又は周波数領域リソースを含んでもよく、該第５時間周波数リソースよりも早い時間周波数リソースは時間領域次元で該第５時間周波数リソースよりも早い時間周波数リソースであってもよく、該第５時間周波数リソースよりも遅い時間周波数リソースは時間領域次元で該第５時間周波数リソースよりも遅い時間周波数リソースであってもよく、周波数領域位置を特に限定しない。
【０１２７】
選択肢として、いくつかの実施例では、前記第１ＳＳＢはＳＳＢグループにおける１つのＳＳＢであり、前記ＳＳＢグループは第２ＳＳＢを更に含み、前記方法１００は更に、
前記ネットワーク装置はＭ２個の時間周波数リソースから、チャネル使用権を取得した第６時間周波数リソースを決定し、前記Ｍ２個の時間周波数リソースは前記ネットワーク装置が前記第１キャリアでの前記第１周期に対して構成した、前記第２ＳＳＢの伝送に使用される時間周波数リソースであり、Ｍ２が正の整数であって、Ｍ２≧２であることと、
前記ネットワーク装置が前記第６時間周波数リソースによって前記第２ＳＳＢを前記端末装置に送信することと、を含んでもよい。
【０１２８】
従って、本願の実施例の信号伝送方法によれば、１つのＳＳＢグループを送信することに使用でき、該ＳＳＢグループにおける該第２ＳＳＢを送信する具体的な実現プロセスは該第１ＳＳＢを送信する具体的な実現プロセスと類似するため、上記実施例の関連説明を参照でき、ここでは繰り返して説明しない。
【０１２９】
選択肢として、前記第６時間周波数リソースはＫ２個の時間周波数リソースのうちの１つの時間周波数リソースであり、前記Ｋ２個の時間周波数リソースは前記Ｍ２個の時間周波数リソースのうち前記第２ＳＳＢの送信に使用される時間周波数リソースであり、Ｋ２が正の整数であって、１≦Ｋ２≦Ｎ２であり、Ｎ２は前記ネットワーク装置が前記第１周期内に前記第２ＳＳＢを送信する最大回数であり、Ｎ２が正の整数であって、１≦Ｎ２＜Ｍ２である。
【０１３０】
理解されるように、該第６時間周波数リソースは該第１時間周波数リソースと類似し、該第６時間周波数リソースは該第２ＳＳＢのＫ２回の伝送のうちの１回の伝送に使用されるリソースであってもよく、該第６時間周波数リソースについては上記の該第１時間周波数リソースの関連説明を参照でき、ここでは繰り返して説明しない。
【０１３１】
選択肢として、いくつかの実施例では、該Ｎ２は上記Ｎ１に等しくてもよく、即ち、第１ＳＳＢと第２ＳＳＢの最大伝送回数は同じであってもよい。
【０１３２】
Ｎ１と類似的に、該Ｎ２も通信システムによって指定され、又はネットワーク装置によって構成され、又はネットワーク装置及び端末装置の両方によって共通に決定されてもよいが、本願の実施例ではそれを限定しない。
【０１３３】
選択肢として、いくつかの実施例では、前記Ｋ２個の時間周波数リソースは前記Ｍ２個の時間周波数リソースのうち前記ネットワーク装置がチャネル使用権を取得した先頭Ｋ２個の時間周波数リソースである。
【０１３４】
理解されるように、該Ｋ２個の時間周波数リソースは上記Ｋ１個の時間周波数リソースと類似し、具体的には該Ｋ１個の時間周波数リソースの関連説明を参照でき、ここでは繰り返して説明しない。
【０１３５】
選択肢として、いくつかの実施例では、該Ｍ２は上記Ｍ１に等しくてもよく、即ち、該第１周期内の各サブ周期は該Ｍ２個の時間周波数リソースのうちの１つの時間周波数リソースを含んでもよく、即ち、該Ｍ１個のサブ周期は該Ｍ２個の時間周波数リソースに一対一対応してもよい。選択肢として、該Ｍ２個の時間周波数リソースの各々の、該Ｍ１個のサブ周期内の該時間周波数リソースに対応するサブ周期での位置は同じである。
【０１３６】
理解されるように、Ｍ１及びＭ２は別々に決定されてもよく、統合して決定されてもよいが、本願ではそれを限定せず、例えば、ネットワーク装置はＭ値を設定し、この場合、本願では、Ｍ１＝Ｍ、Ｍ２＝Ｍである。
【０１３７】
理解されるように、Ｎ１及びＮ２は別々に決定されてもよく、統合して決定されてもよいが、本願ではそれを限定せず、例えば、ネットワーク装置はＮ値を設定し、この場合、本願では、Ｎ１＝Ｎ、Ｎ２＝Ｎである。
【０１３８】
非限定的な例として、ＳＳＢグループはＳ個のＳＳＢを含み、ネットワーク装置は第１周期内にＭ組の時間周波数リソースを構成し、このＭ組の時間周波数リソースの各々はＳ個の時間周波数リソースを含み、該Ｓ個の時間周波数リソースはそれぞれ該Ｓ個のＳＳＢを送信することに使用され、ネットワーク装置は該ＳＳＢグループの最大送信回数をＮに設定し、即ち、該ＳＳＢグループにおける各ＳＳＢの最大送信回数はＮである。該第１周期はＭ個のサブ周期を含み、このＭ組の時間周波数リソースはこのＭ個のサブ周期に対応し、該Ｍ組の時間周波数リソースの各々の、該Ｍ個のサブ周期中の対応するサブ周期での位置は同じである。
【０１３９】
選択肢として、いくつかの実施例では、前記ネットワーク装置は第２指示情報を前記端末装置に送信し、前記第２指示情報は前記第１周期内に前記ＳＳＢグループの情報を送信するように前記ネットワーク装置に指示することに用いられる。
【０１４０】
選択肢として、いくつかの実施例では、前記第２指示情報は、前記第１周期における前記ＳＳＢグループ中の少なくとも１つのＳＳＢの最大送信回数情報、前記ＳＳＢグループにおける少なくとも１つのＳＳＢの識別子、前記ＳＳＢグループにおける少なくとも１つのＳＳＢのビーム識別子のうちの少なくとも１つを指示することに用いられる。
【０１４１】
非限定的な例として、前記第２指示情報は、該ＳＳＢグループにおける少なくとも１つのＳＳＢの現在の既送信回数、未送信回数、最大送信回数、後続で該少なくとも１つのＳＳＢの送信に使用できるリソース位置、該少なくとも１つのＳＳＢの送信に使用できるビーム識別子、又は該少なくとも１つのＳＳＢの識別子等のうちの少なくとも１つを指示することに用いられる。
【０１４２】
選択肢として、具体的な実施例では、前記ネットワーク装置は前記第１周期内の第７時間周波数リソースにおいて前記第２指示情報を送信し、
前記第２指示情報は、前記第１周期内の前記第７時間周波数リソースよりも早い時間周波数リソースにおける前記ＳＳＢグループ中の少なくとも１つのＳＳＢの既送信回数情報、前記第１周期内の前記第７時間周波数リソースよりも遅い時間周波数リソースにおける前記ＳＳＢグループ中の少なくとも１つのＳＳＢの送信待ち回数情報、前記第１周期内の前記第７時間周波数リソースよりも遅い時間周波数リソースにおける前記ＳＳＢグループ中の少なくとも１つのＳＳＢの候補位置情報のうちの少なくとも１つを指示することに用いられる。
【０１４３】
それにより、端末装置は前記第２指示情報に応じて、該第１周期内の該ＳＳＢグループにおける少なくとも１つのＳＳＢの情報を決定し、更に該ＳＳＢグループの情報に応じて、特定の位置で該ＳＳＢグループにおける少なくとも１つのＳＳＢを受信し、又は該ＳＳＢグループにおけるあるＳＳＢの受信成功回数が最大回数に達した（例えば、第１ＳＳＢをＮ１回受信し、第２ＳＳＢをＮ２回受信した）後、他の時間周波数リソースにおいて該ＳＳＢグループにおける該ＳＳＢを受信しなくなり、それにより端末装置のブラインド検出の複雑さを低下させることができる。又は、端末装置は前記第２指示情報に応じて該ＳＳＢグループの時間周波数リソース位置を決定し、且つデータ受信時に該ＳＳＢグループにおける少なくとも１つのＳＳＢに対してレートマッチングを行う。
【０１４４】
理解されるように、該第７時間周波数リソースよりも早い時間周波数リソースは時間領域次元で該第７時間周波数リソースよりも早い時間周波数リソースであってもよく、該第７時間周波数リソースよりも遅い時間周波数リソースは時間領域次元で該第７時間周波数リソースよりも遅い時間周波数リソースであってもよく、周波数領域次元でのサイズを特に限定しない。
【０１４５】
以下、図２に示される具体例を参照しながら、本願の実施例による信号伝送方法を説明する。
【０１４６】
図２に示される例では、ＳＳＢグループはＳＳＢ１、ＳＳＢ２、ＳＳＢ３、ＳＳＢ４及びＳＳＢ５を含み、各ＳＳＢの最大伝送回数は１回であり、勿論、各ＳＳＢの最大伝送回数は１回よりも大きくてもよく、又は各ＳＳＢに対応する最大伝送回数は異なってもよく、ＳＳＢグループに含まれるＳＳＢの数は他の数値であってもよく、他の場合、類似の方式で信号伝送を行ってもよく、ここでは繰り返して説明しない。
【０１４７】
該図２では、各サブ周期内に該ＳＳＢグループにおける各ＳＳＢの伝送に使用できる時間周波数リソース（即ち、候補時間周波数リソース）が構成され、該ネットワーク装置は第１キャリアに対してチャネル検出を行って、該第１周期内の第１サブ周期内（即ち、該第１周期内の１番目のサブ周期）の各候補時間周波数リソースが利用可能であるか否かを決定する。
【０１４８】
該第１サブ周期内に、該ＳＳＢ１及び該ＳＳＢ２の伝送に使用できる時間周波数リソースが利用不能であり、該ＳＳＢ３〜ＳＳＢ５の伝送に使用できる時間周波数リソースが利用可能である場合、該第１サブ周期内に該ネットワーク装置は該ＳＳＢ３〜ＳＳＢ５の伝送に使用できる時間周波数リソースにおいてそれぞれ該ＳＳＢ３〜ＳＳＢ５を伝送し、該第１サブ周期内にＳＳＢ１及びＳＳＢ２を伝送しない。ＳＳＢ３〜ＳＳＢ５が最大伝送回数に達したため、該第１サブ周期後の第２サブ周期内に、該ネットワーク装置はＳＳＢ３〜ＳＳＢ５を伝送しなくてもよい。
【０１４９】
該ネットワーク装置は第１キャリアに対してチャネル検出を行い、チャネル検出の結果に応じて該第２サブ周期内のＳＳＢ１及びＳＳＢ２の伝送に使用できる時間周波数リソースが利用可能であるか否かを決定し、ＳＳＢ１及びＳＳＢ２の伝送に使用できる時間周波数リソースがいずれも利用可能である場合、該第２サブ周期内に該ネットワーク装置はＳＳＢ１及びＳＳＢ２の伝送に使用できる時間周波数リソースにおいてそれぞれＳＳＢ１及びＳＳＢ２を伝送する。又は、該第２サブ周期内に該ＳＳＢ１及びＳＳＢ２の伝送に使用できる該時間周波数リソースが利用不能である場合、更に、該ネットワーク装置は第１キャリアに対してチャネル検出を行い、チャネル検出の結果に応じて第３サブ周期内に該ＳＳＢ１及びＳＳＢ２を送信できるか否かを決定する。
【０１５０】
端末装置にとって、該端末装置が初期アクセス状態にある場合、端末装置がネットワーク装置の構成を分からず、即ち、該端末装置がネットワーク装置によって構成された該Ｍ１個の時間周波数リソースの位置を分からず、且つ該ＳＳＢグループにおける各ＳＳＢの送信回数を分からないため、端末装置はネットワークにアクセスするまで、すべての可能なＳＳＢに対してブラインド検出を行う。
【０１５１】
又は、端末装置が接続状態にある場合、端末装置は該Ｍ１個の時間周波数リソースの情報、上記第１指示情報又は第２指示情報等の情報を取得できるため、端末装置は該第１周期内の該Ｍ１個の時間周波数リソースにおいてＳＳＢを検出でき、ＳＳＢの最大伝送回数を１とする場合、端末装置がＳＳＢを１回検出したら、他の時間周波数リソースにおいてＳＳＢを検出し続けなくてもよい。
【０１５２】
例えば、第１サブ周期内に、該端末装置は該ＳＳＢ１に対応する時間周波数リソースにおいてＳＳＢ１を検出していない場合、該端末装置は第２サブ周期内の該ＳＳＢ１に対応する時間周波数リソースにおいてＳＳＢ１を検出し続ける。該ＳＳＢ１を検出した場合、該第２サブ周期の後の他のサブ周期内にＳＳＢ１を検出し続けない。
【０１５３】
又は、端末装置が接続状態にある場合、端末装置は該Ｍ１個の時間周波数リソース情報、上記第１指示情報又は第２指示情報等の情報を取得できるため、端末装置は該第１指示情報又は第２指示情報に応じてＳＳＢに対してレートマッチングを行うことができる。
【０１５４】
例えば、該端末装置のデータ伝送用にスケジューリングされるリソースは第２サブ周期内のＳＳＢ１〜ＳＳＢ５の候補時間周波数リソースを含み、端末装置は第２指示情報に応じて、ＳＳＢ１及びＳＳＢ２の２つの候補時間周波数リソースがそれぞれＳＳＢ１及びＳＳＢ２の送信に使用され、ＳＳＢ３〜ＳＳＢ５の３つの候補時間周波数リソースがＳＳＢの送信に使用されていないことを決定し、従って、該端末装置はＳＳＢ３〜ＳＳＢ５の３つの候補時間周波数リソースをデータ伝送に使用することを仮定できる。
【０１５５】
従って、本願の実施例の信号伝送方法によれば、ネットワーク装置は１つの周期内に１つのＳＳＢグループにおける各ＳＳＢに対して複数の候補時間周波数リソースを構成することができ、ＳＳＢの送信機会を増加させることができる。実際の伝送の時、ネットワーク装置が該周期内の１つの候補時間周波数リソースにおいて対応のＳＳＢを伝送することが成功すると、他の候補時間周波数リソースにおいて該ＳＳＢを伝送し続けなくてもよいため、ＳＳＢの送信機会を増加させるとともに、ＳＳＢ送信用のリソースオーバーヘッドを削減することができる。
【０１５６】
且つ、接続状態の端末装置は該周期内の１つの候補時間周波数リソースにおいてＳＳＢを検出した場合、該周期内の他の候補時間周波数リソースにおけるＳＳＢのブラインド検出を停止し、端末装置のブラインド検出の複雑さを低下させることができる。
【０１５７】
以上、図１〜図２を参照しながら、ネットワーク装置側から本願の実施例による信号伝送方法を詳細に説明したが、以下、図３を参照しながら端末装置側から本願の他の実施例による信号伝送方法を詳細に説明する。理解されるように、端末装置側の説明はネットワーク装置側の説明に相互に対応し、類似の説明については上記説明を参照でき、重複説明を回避するために、ここでは繰り返して説明しない。
【０１５８】
図３は本願の他の実施例による信号伝送方法３００の模式的なフローチャートであり、図３に示すように、該方法３００は、
端末装置は第１キャリアでのＭ１個の時間周波数リソースにおいて第１同期信号ブロック（ＳＳＢ）を検出して、ネットワーク装置が第１ＳＳＢを送信する第１時間周波数リソースを決定し、前記Ｍ１個の時間周波数リソースは前記ネットワーク装置が前記第１キャリアでの第１周期に対して構成した、第１ＳＳＢの伝送に使用できる時間周波数リソースであり、Ｍ１が正の整数であって、Ｍ１≧２であるステップＳ３１０と、
前記端末装置は前記第１時間周波数リソースによって、前記ネットワーク装置から送信された前記第１ＳＳＢを受信するステップＳ３２０と、を含む。
【０１５９】
選択肢として、いくつかの実施例では、前記ネットワーク装置が前記第１周期内に前記第１ＳＳＢを送信する最大回数はＮ１であり、Ｎ１が正の整数であって、１≦Ｎ１＜Ｍ１である。
【０１６０】
選択肢として、いくつかの実施例では、前記端末装置が前記第１周期内に前記第１時間周波数リソースの前に前記第１ＳＳＢを検出した回数はＮ１未満である。
【０１６１】
選択肢として、いくつかの実施例では、前記方法３００は更に、
前記端末装置は前記Ｍ１個の時間周波数リソースのうち第２時間周波数リソースよりも遅い時間周波数リソースにおいて前記第１ＳＳＢを検出しないことを含み、
前記第２時間周波数リソースは、前記Ｍ１個の時間周波数リソースのうち前記端末装置が前記第１ＳＳＢをＮ１回目検出した時間周波数リソースである。
【０１６２】
選択肢として、いくつかの実施例では、前記第１時間周波数リソースはＫ１個の時間周波数リソースのうちの１つの時間周波数リソースであり、前記Ｋ１個の時間周波数リソースは前記Ｍ１個の時間周波数リソースのうち前記端末装置が前記第１ＳＳＢを検出した時間周波数リソースであり、Ｋ１が正の整数であって、１≦Ｋ１≦Ｎ１である。
【０１６３】
選択肢として、いくつかの実施例では、前記Ｋ１個の時間周波数リソースは前記Ｍ１個の時間周波数リソースのうち前記端末装置が前記第１ＳＳＢを検出した先頭Ｋ１個の時間周波数リソースである。
【０１６４】
理解されるように、ネットワーク装置側のＫ１個の時間周波数リソースは、ネットワーク装置が該第１ＳＳＢをＫ１回伝送するために使用される時間周波数リソースである。端末装置側の該Ｋ１個の時間周波数リソースはブラインド検出によって得られた、ＳＳＢを有するＫ１個の時間周波数リソースである。該ネットワーク装置のＫ１個の時間周波数リソースと端末装置側の該Ｋ１個の時間周波数リソースは異なることがあり、例えば、ネットワーク装置が該第１ＳＳＢを送信したが、端末装置が検出していない場合があり、この場合、ネットワーク装置側のＫ１は端末装置側のＫ１よりも大きい可能性がある。
【０１６５】
選択肢として、いくつかの実施例では、前記第１周期はＭ１個のサブ周期を含み、前記Ｍ１個のサブ周期のそれぞれは前記Ｍ１個の時間周波数リソースのうちの１つの時間周波数リソースを含み、前記Ｍ１個のサブ周期は前記Ｍ１個の時間周波数リソースに一対一対応する。
【０１６６】
選択肢として、いくつかの実施例では、第３時間周波数リソースの第１サブ周期での位置と第４時間周波数リソースの第２サブ周期での位置は同じであり、第３時間周波数リソース及び第４時間周波数リソースは前記Ｍ１個の時間周波数リソースのうち異なる２つの時間周波数リソースであり、前記第３時間周波数リソースは前記第１サブ周期に対応し、前記第４時間周波数リソースは前記第２サブ周期に対応する。
【０１６７】
選択肢として、いくつかの実施例では、前記端末装置は前記ネットワーク装置から送信された第１指示情報を受信し、前記第１指示情報は前記第１周期内に前記第１ＳＳＢの情報を送信するように前記ネットワーク装置に指示することに用いられる。
【０１６８】
選択肢として、いくつかの実施例では、前記端末装置は前記第１周期内の第５時間周波数リソースにおいて前記第１指示情報を受信し、前記第１指示情報は、前記第１周期における前記第１ＳＳＢの最大送信回数情報、前記第１周期内の前記第５時間周波数リソースよりも早い時間周波数リソースにおける前記第１ＳＳＢの既送信回数情報、前記第１周期内の前記第５時間周波数リソースよりも遅い時間周波数リソースにおける前記第１ＳＳＢの送信待ち回数情報、前記第１周期内の前記第５時間周波数リソースよりも遅い時間周波数リソースにおける前記第１ＳＳＢの候補位置情報、前記第１ＳＳＢの識別子、前記第１ＳＳＢのビーム識別子のうちの少なくとも１つを指示することに用いられる。
【０１６９】
選択肢として、いくつかの実施例では、前記第１周期は、前記ネットワーク装置によってサービスされる端末装置の数、前記ネットワーク装置によってサービスされるセルのカバレッジ範囲、前記端末装置が前記ネットワーク装置にアクセスする遅延要件のうちの少なくとも１つに応じて決定される。
【０１７０】
選択肢として、いくつかの実施例では、前記第１ＳＳＢはＳＳＢグループにおける１つのＳＳＢであり、前記ＳＳＢグループは第２ＳＳＢを更に含み、前記方法は更に、
前記端末装置は前記第１キャリアでのＭ２個の時間周波数リソースにおいて第２ＳＳＢを検出して、前記ネットワーク装置が第２ＳＳＢを送信する第６時間周波数リソースを決定し、前記Ｍ２個の時間周波数リソースは前記ネットワーク装置が前記第１キャリアでの前記第１周期に対して構成した、前記第２ＳＳＢの伝送に使用される時間周波数リソースであり、Ｍ２が正の整数であって、Ｍ２≧２であることと、
前記端末装置は前記第６時間周波数リソースによって、前記ネットワーク装置から送信された前記第２ＳＳＢを受信することと、を含む。
【０１７１】
選択肢として、いくつかの実施例では、前記第６時間周波数リソースはＫ２個の時間周波数リソースのうちの１つの時間周波数リソースであり、前記Ｋ２個の時間周波数リソースは前記Ｍ２個の時間周波数リソースのうち前記第２ＳＳＢの送信に使用される時間周波数リソースであり、Ｋ２が正の整数であって、１≦Ｋ２≦Ｎ２であり、Ｎ２は前記ネットワーク装置が前記第１周期内に前記第２ＳＳＢを送信する最大回数であり、Ｎ２が正の整数であって、１≦Ｎ２＜Ｍ２である。
【０１７２】
選択肢として、いくつかの実施例では、前記Ｋ２個の時間周波数リソースは前記Ｍ２個の時間周波数リソースのうち前記ネットワーク装置がチャネル使用権を取得した先頭Ｋ２個の時間周波数リソースである。
【０１７３】
選択肢として、いくつかの実施例では、前記端末装置は前記ネットワーク装置から送信された第２指示情報を受信し、前記第２指示情報は前記第１周期内に前記ＳＳＢグループの情報を送信するように前記ネットワーク装置に指示することに用いられる。
【０１７４】
選択肢として、いくつかの実施例では、前記端末装置は前記第１周期内の第７時間周波数リソースにおいて前記第２指示情報を受信し、
前記第２指示情報は、前記第１周期における前記ＳＳＢグループ中の少なくとも１つのＳＳＢの最大送信回数情報、前記第１周期内の前記第７時間周波数リソースよりも早い時間周波数リソースにおける前記ＳＳＢグループ中の少なくとも１つのＳＳＢの既送信回数情報、前記第１周期内の前記第７時間周波数リソースよりも遅い時間周波数リソースにおける前記ＳＳＢグループ中の少なくとも１つのＳＳＢの送信待ち回数情報、前記第１周期内の前記第７時間周波数リソースよりも遅い時間周波数リソースにおける前記ＳＳＢグループ中の少なくとも１つのＳＳＢの候補位置情報、前記ＳＳＢグループにおける少なくとも１つのＳＳＢの識別子、前記ＳＳＢグループにおける少なくとも１つのＳＳＢのビーム識別子のうちの少なくとも１つを指示することに用いられる。
【０１７５】
以上、図１〜図３を参照しながら本願の方法の実施例を詳細に説明したが、以下、図４〜図７を参照しながら本願の装置の実施例を詳細に説明する。理解されるように、装置の実施例は方法の実施例に相互に対応し、類似する説明については方法の実施例を参照できる。
【０１７６】
図４では本願の実施例によるネットワーク装置４００の模式的なブロック図を示す。図４に示すように、該ネットワーク装置４００は、
第１キャリアを検出し、検出結果に応じてＭ１個の時間周波数リソースから、チャネル使用権を取得した第１時間周波数リソースを決定することに用いられ、前記Ｍ１個の時間周波数リソースは前記ネットワーク装置が前記第１キャリアでの第１周期に対して構成した、第１同期信号ブロック（ＳＳＢ）の伝送に使用できる時間周波数リソースであり、Ｍ１が正の整数であって、Ｍ１≧２である処理モジュール４１０と、
前記第１時間周波数リソースによって前記第１ＳＳＢを端末装置に送信することに用いられる通信モジュール４２０と、を備える。
【０１７７】
選択肢として、いくつかの実施例では、前記ネットワーク装置が前記第１周期内に前記第１ＳＳＢを送信する最大回数はＮ１であり、Ｎ１が正の整数であって、１≦Ｎ１＜Ｍ１である。
【０１７８】
選択肢として、いくつかの実施例では、前記ネットワーク装置が前記第１周期内に前記第１時間周波数リソースの前に前記第１ＳＳＢを送信する回数はＮ１未満である。
【０１７９】
選択肢として、いくつかの実施例では、前記通信モジュールは更に、
前記Ｍ１個の時間周波数リソースのうち第２時間周波数リソースよりも遅い時間周波数リソースにおいて、前記第１ＳＳＢを送信しないことに用いられ、
第２時間周波数リソースは、前記Ｍ１個の時間周波数リソースのうち前記ネットワーク装置が前記第１ＳＳＢをＮ１回目送信する時間周波数リソースである。
【０１８０】
選択肢として、いくつかの実施例では、前記第１時間周波数リソースはＫ１個の時間周波数リソースのうちの１つの時間周波数リソースであり、前記Ｋ１個の時間周波数リソースは前記Ｍ１個の時間周波数リソースのうち前記第１ＳＳＢの送信に使用される時間周波数リソースであり、Ｋ１が正の整数であって、１≦Ｋ１≦Ｎ１である。
【０１８１】
選択肢として、いくつかの実施例では、前記Ｋ１個の時間周波数リソースは前記Ｍ１個の時間周波数リソースのうち前記ネットワーク装置がチャネル使用権を取得した先頭Ｋ１個の時間周波数リソースである。
【０１８２】
選択肢として、いくつかの実施例では、前記第１周期はＭ１個のサブ周期を含み、前記Ｍ１個のサブ周期のそれぞれは前記Ｍ１個の時間周波数リソースのうちの１つの時間周波数リソースを含み、前記Ｍ１個のサブ周期は前記Ｍ１個の時間周波数リソースに一対一対応する。
【０１８３】
選択肢として、いくつかの実施例では、第３時間周波数リソースの第１サブ周期での位置と第４時間周波数リソースの第２サブ周期での位置は同じであり、第３時間周波数リソース及び第４時間周波数リソースは前記Ｍ１個の時間周波数リソースのうち異なる２つの時間周波数リソースであり、前記第３時間周波数リソースは前記第１サブ周期に対応し、前記第４時間周波数リソースは前記第２サブ周期に対応する。
【０１８４】
選択肢として、いくつかの実施例では、前記ネットワーク装置は第１指示情報を前記端末装置に送信し、前記第１指示情報は前記第１周期内に前記第１ＳＳＢの情報を送信するように前記ネットワーク装置に指示することに用いられる。
【０１８５】
選択肢として、いくつかの実施例では、前記ネットワーク装置は前記第１周期内の第５時間周波数リソースにおいて前記第１指示情報を送信し、前記第１指示情報は、前記第１周期における前記第１ＳＳＢの最大送信回数情報、前記第１周期内の前記第５時間周波数リソースよりも早い時間周波数リソースにおける前記第１ＳＳＢの既送信回数情報、前記第１周期内の前記第５時間周波数リソースよりも遅い時間周波数リソースにおける前記第１ＳＳＢの送信待ち回数情報、前記第１周期内の前記第５時間周波数リソースよりも遅い時間周波数リソースにおける前記第１ＳＳＢの候補位置情報、前記第１ＳＳＢの識別子、前記第１ＳＳＢのビーム識別子のうちの少なくとも１つを指示することに用いられる。
【０１８６】
選択肢として、いくつかの実施例では、前記第１周期は、前記ネットワーク装置によってサービスされる端末装置の数、前記ネットワーク装置によってサービスされるセルのカバレッジ範囲、前記端末装置が前記ネットワーク装置にアクセスする遅延要件のうちの少なくとも１つに応じて決定される。
【０１８７】
選択肢として、いくつかの実施例では、前記第１ＳＳＢはＳＳＢグループにおける１つのＳＳＢであり、前記ＳＳＢグループは第２ＳＳＢを更に含み、前記処理モジュールは更に、
Ｍ２個の時間周波数リソースから、チャネル使用権を取得した第６時間周波数リソースを決定することに用いられ、前記Ｍ２個の時間周波数リソースは前記ネットワーク装置が前記第１キャリアでの前記第１周期に対して構成した、前記第２ＳＳＢの伝送に使用される時間周波数リソースであり、Ｍ２が正の整数であって、Ｍ２≧２であり、
前記通信モジュールは更に、前記第６時間周波数リソースによって前記第２ＳＳＢを前記端末装置に送信することに用いられる。
【０１８８】
選択肢として、いくつかの実施例では、前記第６時間周波数リソースはＫ２個の時間周波数リソースのうちの１つの時間周波数リソースであり、前記Ｋ２個の時間周波数リソースは前記Ｍ２個の時間周波数リソースのうち前記第２ＳＳＢの送信に使用される時間周波数リソースであり、Ｋ２が正の整数であって、１≦Ｋ２≦Ｎ２であり、Ｎ２は前記ネットワーク装置が前記第１周期内に前記第２ＳＳＢを送信する最大回数であり、Ｎ２が正の整数であって、１≦Ｎ２＜Ｍ２である。
【０１８９】
選択肢として、いくつかの実施例では、前記Ｋ２個の時間周波数リソースは前記Ｍ２個の時間周波数リソースのうち前記ネットワーク装置がチャネル使用権を取得した先頭Ｋ２個の時間周波数リソースである。
【０１９０】
選択肢として、いくつかの実施例では、前記ネットワーク装置は第２指示情報を前記端末装置に送信し、前記第２指示情報は前記第１周期内に前記ＳＳＢグループの情報を送信するように前記ネットワーク装置に指示することに用いられる。
【０１９１】
選択肢として、いくつかの実施例では、前記ネットワーク装置は前記第１周期内の第７時間周波数リソースにおいて前記第２指示情報を送信し、
前記第２指示情報は、前記第１周期における前記ＳＳＢグループ中の少なくとも１つのＳＳＢの最大送信回数情報、前記第１周期内の前記第７時間周波数リソースよりも早い時間周波数リソースにおける前記ＳＳＢグループ中の少なくとも１つのＳＳＢの既送信回数情報、前記第１周期内の前記第７時間周波数リソースよりも遅い時間周波数リソースにおける前記ＳＳＢグループ中の少なくとも１つのＳＳＢの送信待ち回数情報、前記第１周期内の前記第７時間周波数リソースよりも遅い時間周波数リソースにおける前記ＳＳＢグループ中の少なくとも１つのＳＳＢの候補位置情報、前記ＳＳＢグループにおける少なくとも１つのＳＳＢの識別子、前記ＳＳＢグループにおける少なくとも１つのＳＳＢのビーム識別子のうちの少なくとも１つを指示することに用いられる。
【０１９２】
理解されるように、本願の実施例によるネットワーク装置４００は本願の方法の実施例におけるネットワーク装置に対応でき、且つネットワーク装置４００における各ユニットの上記及び他の操作及び／又は機能はそれぞれ図１に示される方法１００におけるネットワーク装置の対応するプロセスを実現するためのものであり、簡潔のために、ここでは繰り返して説明しない。
【０１９３】
図５は本願の実施例による端末装置の模式的なブロック図である。図５の端末装置５００は、
第１キャリアでのＭ１個の時間周波数リソースにおいて第１同期信号ブロック（ＳＳＢ）を検出して、ネットワーク装置が第１ＳＳＢを送信する第１時間周波数リソースを決定することに用いられ、前記Ｍ１個の時間周波数リソースは前記ネットワーク装置が前記第１キャリアでの第１周期に対して構成した、第１ＳＳＢの伝送に使用できる時間周波数リソースであり、Ｍ１が正の整数であって、Ｍ１≧２である処理モジュール５１０と、
前記第１時間周波数リソースによって、前記ネットワーク装置から送信された前記第１ＳＳＢを受信することに用いられる通信モジュール５２０と、を備える。
【０１９４】
選択肢として、いくつかの実施例では、前記ネットワーク装置が前記第１周期内に前記第１ＳＳＢを送信する最大回数はＮ１であり、Ｎ１が正の整数であって、１≦Ｎ１＜Ｍ１である。
【０１９５】
選択肢として、いくつかの実施例では、前記端末装置が前記第１周期内に前記第１時間周波数リソースの前に前記第１ＳＳＢを検出した回数はＮ１未満である。
【０１９６】
選択肢として、いくつかの実施例では、前記通信モジュール５２０は更に、
前記端末装置は前記Ｍ１個の時間周波数リソースのうち第２時間周波数リソースよりも遅い時間周波数リソースにおいて前記第１ＳＳＢを検出しないことに用いられ、
前記第２時間周波数リソースは、前記Ｍ１個の時間周波数リソースのうち前記端末装置が前記第１ＳＳＢをＮ１回目検出した時間周波数リソースである。
【０１９７】
選択肢として、いくつかの実施例では、前記第１時間周波数リソースはＫ１個の時間周波数リソースのうちの１つの時間周波数リソースであり、前記Ｋ１個の時間周波数リソースは前記Ｍ１個の時間周波数リソースのうち前記端末装置が前記第１ＳＳＢを検出した時間周波数リソースであり、Ｋ１が正の整数であって、１≦Ｋ１≦Ｎ１である。
【０１９８】
選択肢として、いくつかの実施例では、前記Ｋ１個の時間周波数リソースは前記Ｍ１個の時間周波数リソースのうち前記端末装置が前記第１ＳＳＢを検出した先頭Ｋ１個の時間周波数リソースである。
【０１９９】
選択肢として、いくつかの実施例では、前記第１周期はＭ１個のサブ周期を含み、前記Ｍ１個のサブ周期のそれぞれは前記Ｍ１個の時間周波数リソースのうちの１つの時間周波数リソースを含み、前記Ｍ１個のサブ周期は前記Ｍ１個の時間周波数リソースに一対一対応する。
【０２００】
選択肢として、いくつかの実施例では、第３時間周波数リソースの第１サブ周期での位置と第４時間周波数リソースの第２サブ周期での位置は同じであり、第３時間周波数リソース及び第４時間周波数リソースは前記Ｍ１個の時間周波数リソースのうち異なる２つの時間周波数リソースであり、前記第３時間周波数リソースは前記第１サブ周期に対応し、前記第４時間周波数リソースは前記第２サブ周期に対応する。
【０２０１】
選択肢として、いくつかの実施例では、前記端末装置は前記ネットワーク装置から送信された第１指示情報を受信し、前記第１指示情報は前記第１周期内に前記第１ＳＳＢの情報を送信するように前記ネットワーク装置に指示することに用いられる。
【０２０２】
選択肢として、いくつかの実施例では、前記端末装置は前記第１周期内の第５時間周波数リソースにおいて前記第１指示情報を受信し、前記第１指示情報は、前記第１周期における前記第１ＳＳＢの最大送信回数情報、前記第１周期内の前記第５時間周波数リソースよりも早い時間周波数リソースにおける前記第１ＳＳＢの既送信回数情報、前記第１周期内の前記第５時間周波数リソースよりも遅い時間周波数リソースにおける前記第１ＳＳＢの送信待ち回数情報、前記第１周期内の前記第５時間周波数リソースよりも遅い時間周波数リソースにおける前記第１ＳＳＢの候補位置情報、前記第１ＳＳＢの識別子、前記第１ＳＳＢのビーム識別子のうちの少なくとも１つを指示することに用いられる。
【０２０３】
選択肢として、いくつかの実施例では、前記第１周期は、前記ネットワーク装置によってサービスされる端末装置の数、前記ネットワーク装置によってサービスされるセルのカバレッジ範囲、前記端末装置が前記ネットワーク装置にアクセスする遅延要件のうちの少なくとも１つに応じて決定される。
【０２０４】
選択肢として、いくつかの実施例では、前記第１ＳＳＢはＳＳＢグループにおける１つのＳＳＢであり、前記ＳＳＢグループは第２ＳＳＢを更に含み、前記処理モジュールは更に、
前記第１キャリアでのＭ２個の時間周波数リソースにおいて第２ＳＳＢを検出して、前記ネットワーク装置が第２ＳＳＢを送信する第６時間周波数リソースを決定することに用いられ、前記Ｍ２個の時間周波数リソースは前記ネットワーク装置が前記第１キャリアでの前記第１周期に対して構成した、前記第２ＳＳＢの伝送に使用される時間周波数リソースであり、Ｍ２が正の整数であって、Ｍ２≧２であり、
前記通信モジュールは更に、前記第６時間周波数リソースによって、前記ネットワーク装置から送信された前記第２ＳＳＢを受信することに用いられる。
【０２０５】
選択肢として、いくつかの実施例では、前記第６時間周波数リソースはＫ２個の時間周波数リソースのうちの１つの時間周波数リソースであり、前記Ｋ２個の時間周波数リソースは前記Ｍ２個の時間周波数リソースのうち前記第２ＳＳＢの送信に使用される時間周波数リソースであり、Ｋ２が正の整数であって、１≦Ｋ２≦Ｎ２であり、Ｎ２は前記ネットワーク装置が前記第１周期内に前記第２ＳＳＢを送信する最大回数であり、Ｎ２が正の整数であって、１≦Ｎ２＜Ｍ２である。
【０２０６】
選択肢として、いくつかの実施例では、前記Ｋ２個の時間周波数リソースは前記Ｍ２個の時間周波数リソースのうち前記ネットワーク装置がチャネル使用権を取得した先頭Ｋ２個の時間周波数リソースである。
【０２０７】
選択肢として、いくつかの実施例では、前記端末装置は前記ネットワーク装置から送信された第２指示情報を受信し、前記第２指示情報は前記第１周期内に前記ＳＳＢグループの情報を送信するように前記ネットワーク装置に指示することに用いられる。
【０２０８】
選択肢として、いくつかの実施例では、前記端末装置は前記第１周期内の第７時間周波数リソースにおいて前記第２指示情報を受信し、
前記第２指示情報は、前記第１周期における前記ＳＳＢグループ中の少なくとも１つのＳＳＢの最大送信回数情報、前記第１周期内の前記第７時間周波数リソースよりも早い時間周波数リソースにおける前記ＳＳＢグループ中の少なくとも１つのＳＳＢの既送信回数情報、前記第１周期内の前記第７時間周波数リソースよりも遅い時間周波数リソースにおける前記ＳＳＢグループ中の少なくとも１つのＳＳＢの送信待ち回数情報、前記第１周期内の前記第７時間周波数リソースよりも遅い時間周波数リソースにおける前記ＳＳＢグループ中の少なくとも１つのＳＳＢの候補位置情報、前記ＳＳＢグループにおける少なくとも１つのＳＳＢの識別子、前記ＳＳＢグループにおける少なくとも１つのＳＳＢのビーム識別子のうちの少なくとも１つを指示することに用いられる。
【０２０９】
具体的に、該端末装置５００は上記方法３００において説明された端末装置に対応でき（例えば、端末装置に構成され、又は端末装置そのものである）、且つ、該端末装置５００における各モジュール又はユニットはそれぞれ上記方法３００における端末装置によって実行される各動作又は処理プロセスを実行することに用いられ、ここでは、重複説明を回避するために、その詳細説明を省略する。
【０２１０】
図６に示すように、本願の実施例はネットワーク装置６００を更に提供し、前記ネットワーク装置６００は図４におけるネットワーク装置４００であってもよく、図１における方法１００に対応するネットワーク装置の内容を実行することに使用できる。前記ネットワーク装置６００は、入力インターフェース６１０、出力インターフェース６２０、プロセッサ６３０及び１０を備え、前記入力インターフェース６１０、出力インターフェース６２０、プロセッサ６３０及びメモリ６４０はバスシステムによって接続される。前記メモリ６４０はプログラム、命令又はコードを記憶することに用いられる。前記プロセッサ６３０は前記メモリ６４０におけるプログラム、命令又はコードを実行して、入力インターフェース６１０による信号受信、出力インターフェース６２０による信号送信を制御して上記方法の実施例における操作を遂行することに用いられる。
【０２１１】
理解されるように、本願の実施例では、前記プロセッサ６３０は中央処理装置（Ｃｅｎｔｒａｌ  Ｐｒｏｃｅｓｓｉｎｇ  Ｕｎｉｔ、「ＣＰＵ」と略称）であってもよく、他の汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブルロジックデバイス、ディスクリートゲート又はトランジスタロジックデバイス、ディスクリートハードウェアユニット等であってもよい。汎用プロセッサはマイクロプロセッサであってもよく、又は前記プロセッサは任意の通常のプロセッサ等であってもよい。
【０２１２】
前記メモリ６４０は読み出し専用メモリ及びランダムアクセスメモリを含み、プロセッサ６３０に命令及びデータを提供するようにしてもよい。メモリ６４０の一部は不揮発性ランダムアクセスメモリを更に含んでもよい。例えば、メモリ６４０は更に装置のタイプの情報を記憶してもよい。
【０２１３】
実現過程において、上記方法の各ステップはプロセッサ６３０におけるハードウェアの集積論理回路又はソフトウェア形態の命令によって実行できる。本願の実施例を参照して開示されている方法のステップは直接にハードウェアプロセッサによって実行され、又はプロセッサにおけるハードウェア及びソフトウェアモジュールの組合せによって実行される。ソフトウェアモジュールはランダムアクセスメモリ、フラッシュメモリ、読み出し専用メモリ、プログラマブル読み出し専用メモリ又は電気的消去可能プログラマブルメモリ、レジスタ等の本分野の成熟した記憶媒体に格納されてもよい。前記記憶媒体はメモリ６４０に位置し、プロセッサ６３０はメモリ６４０における情報を読み取り、そのハードウェアと組み合わせて上記方法のステップを実行する。重複を回避するために、ここでは詳細説明を省略する。
【０２１４】
具体的な実施形態では、図４におけるネットワーク装置４００に備えられる処理モジュール４１０は図６のプロセッサ６３０によって実現され、図４におけるネットワーク装置４００に備えられる通信モジュール４２０は図６の前記入力インターフェース６１０及び前記出力インターフェース６２０によって実現されるようにしてもよい。
【０２１５】
図７に示すように、本願の実施例は端末装置７００を更に提供し、前記端末装置７００は図５における端末装置５００であってもよく、図３における方法３００に対応する端末装置の動作を実行することに使用できる。前記装置７００は、入力インターフェース７１０、出力インターフェース７２０、プロセッサ７３０及びメモリ７４０を備え、前記入力インターフェース７１０、出力インターフェース７２０、プロセッサ７３０及びメモリ７４０はバスシステムによって接続される。前記メモリ７４０はプログラム、命令又はコードを記憶することに用いられる。前記プロセッサ７３０は前記メモリ７４０におけるプログラム、命令又はコードを実行して、入力インターフェース７１０による信号受信、出力インターフェース７２０による信号送信を制御して上記方法の実施例における操作を遂行することに用いられる。
【０２１６】
理解されるように、本願の実施例では、前記プロセッサ７３０は中央処理装置（Ｃｅｎｔｒａｌ  Ｐｒｏｃｅｓｓｉｎｇ  Ｕｎｉｔ、「ＣＰＵ」と略称）であってもよく、他の汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブルロジックデバイス、ディスクリートゲート又はトランジスタロジックデバイス、ディスクリートハードウェアユニット等であってもよい。汎用プロセッサはマイクロプロセッサであってもよく、又は前記プロセッサは任意の通常のプロセッサ等であってもよい。
【０２１７】
前記メモリ７４０は読み出し専用メモリ及びランダムアクセスメモリを含み、プロセッサ７３０に命令及びデータを提供する。メモリ７４０の一部は不揮発性ランダムアクセスメモリを更に含んでもよい。例えば、メモリ７４０は更に装置のタイプの情報を記憶してもよい。
【０２１８】
実現過程において、上記方法の各ステップはプロセッサ７３０におけるハードウェアの集積論理回路又はソフトウェア形態の命令によって実行できる。本願の実施例を参照して開示されている方法のステップは直接にハードウェアプロセッサによって実行され、又はプロセッサにおけるハードウェア及びソフトウェアモジュールの組合せによって実行される。ソフトウェアモジュールはランダムアクセスメモリ、フラッシュメモリ、読み出し専用メモリ、プログラマブル読み出し専用メモリ又は電気的消去可能プログラマブルメモリ、レジスタ等の本分野の成熟した記憶媒体に格納されてもよい。前記記憶媒体はメモリ７４０に位置し、プロセッサ７３０はメモリ７４０における情報を読み取り、そのハードウェアと組み合わせて上記方法のステップを実行する。重複を回避するために、ここでは詳細説明を省略する。
【０２１９】
具体的な実施形態では、図５における端末装置５００に備えられる処理モジュール５１０は図７のプロセッサ７３０によって実現され、図５における端末装置５００に備えられる通信モジュール５２０は図７の前記入力インターフェース７１０及び前記出力インターフェース７２０によって実現されるようにしてもよい。
【０２２０】
本願の実施例はコンピュータ可読記憶媒体を更に提供し、該コンピュータ可読記憶媒体は１つ又は複数のプログラムを記憶し、該１つ又は複数のプログラムは命令を含み、該命令は複数のアプリケーションプログラムを含む携帯型電子装置によって実行されると、該携帯型電子装置に図１〜図３に示される実施例の方法を実行させる。
【０２２１】
本願の実施例はコンピュータプログラムを更に提供し、該コンピュータプログラムは命令を含み、該コンピュータプログラムはコンピュータによって実行されると、コンピュータに図１〜図３に示される実施例の方法の対応するプロセスを実行させる。
【０２２２】
当業者であれば理解できるように、本明細書に開示されている実施例を参照して説明された各例のユニット及びアルゴリズムのステップを電子ハードウェア、又はコンピュータソフトウェアと電子ハードウェアとの組合せによって実現できる。これらの機能をハードウェアで実行するかそれともソフトウェアで実行するかは、技術案の特定の応用及び設計制約条件に応じて決められる。当業者は本願の範囲を逸脱せずに、説明された機能を各特定の応用に応じて異なる方法で実現できる。
【０２２３】
当業者であれば理解できるように、説明の便宜及び簡潔上、上記説明されたシステム、装置及びユニットの具体的な動作プロセスについては、上記方法の実施例の対応するプロセスを参照すればよいため、ここでは繰り返して説明しない。
【０２２４】
本願によるいくつかの実施例では、開示されているシステム、装置及び方法を他の形態で実現できると理解すべきである。例えば、以上説明された装置の実施例は単に例示的なものであり、例えば、前記ユニットの分割は、単に１種のロジック機能分割であり、実際の実現では別の分割方式を採用してもよく、例えば複数のユニット又は要素を他のシステムに結合又は集積し、又はいくつかの特徴を無視したり実行しなかったりする。また、表示又は検討された相互の結合又は直接結合又は通信接続はいくつかのインターフェース、装置又はユニットを介した間接結合又は通信接続であってもよく、電気的、機械的又は他の形態としてもよい。
【０２２５】
前記分離部材として説明されたユニットは物理的に分離しているものであってもよく、物理的に分離しているものでなくてもよく、ユニットとして表示される部材は物理ユニットであってもよく物理ユニットでなくてもよく、即ち、１つの場所に位置してもよく、複数のネットワークユニットに分散してもよい。実際の必要に応じて一部又は全部のユニットを選択して本実施例の技術案の目的を実現することができる。
【０２２６】
また、本願の各実施例における各機能ユニットは１つの処理ユニットに集積されてもよく、別々に物理的に存在してもよく、２つ以上のユニットは１つのユニットに集積されてもよい。
【０２２７】
前記機能はソフトウェア機能ユニットの形態で実現され、且つ独立した製品として販売又は使用される場合、１つのコンピュータ可読記憶媒体に記憶される。このような理解に基づいて、本願の技術案は本質的に又は従来技術に貢献する部分又は前記技術案の一部はソフトウェア製品の形態で実施され得ており、前記コンピュータソフトウェア製品は１つの記憶媒体に記憶され、１つのコンピュータ装置（パーソナルコンピュータ、サーバ、又はネットワーク装置等であってもよい）に本願の各実施例に係る方法の全部又は一部のステップを実行させるための複数の命令を含む。上記記憶媒体はＵディスク、モバイルディスク、読み出し専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク又は光ディスク等のプロクラムコードを記憶可能な種々の媒体を含む。
【０２２８】
以上は、本願の具体的な実施形態に過ぎず、本願の保護範囲はそれに限定されるものではない。当業者が本願に開示されている技術範囲を逸脱せずに容易に想到し得る変更や置換はすべて本願の保護範囲に属する。従って、本願の保護範囲は特許請求の範囲の保護範囲に準じるべきである。
【図１】
2021517416.tif 000003
【図２】
2021517416.tif 000004
【図３】
2021517416.tif 000005
【図４】
2021517416.tif 000006
【図５】
2021517416.tif 000007
【図６】
2021517416.tif 000008
【図７】
2021517416.tif 000009
【手続補正書】
【提出日】令和2年9月25日(2020.9.25)
【手続補正１】
【補正対象書類名】明細書
【補正対象項目名】０００３
【補正方法】変更
【補正の内容】
【０００３】
新無線（Ｎｅｗ  Ｒａｄｉｏ、ＮＲ）では、同期信号ブロック（Ｓｙｎｃｈｒｏｎｉｚａｔｉｏｎ  Ｓｉｇｎａｌ  Ｂｌｏｃｋ、ＳＳＢ）は端末装置のネットワークへのアクセス、及び無線リソース管理（Ｒａｄｉｏ  Ｒｅｓｏｕｒｃｅ  Ｍａｎａｇｅｍｅｎｔ、ＲＲＭ）測定を行うための重要な信号であり、アンライセンススペクトルをＮＲシステムに適用する場合、ネットワーク装置はＳＳＢを送信するにはチャネル使用権を取得する必要があり、この場合、ネットワーク装置がどのようにＳＳＢを効果的に伝送するかは検討に値する問題となる。
【手続補正２】
【補正対象書類名】明細書
【補正対象項目名】００９７
【補正方法】変更
【補正の内容】
【００９７】
また例えば、該第１周期は前記ネットワーク装置によってサービスされる端末装置の数、前記ネットワーク装置によってサービスされるセルのカバレッジ範囲、前記端末装置が前記ネットワーク装置にアクセスする遅延要件のうちの少なくとも２つに応じて決定されてもよく、例えば、ネットワーク装置によってサービスされるセルのカバレッジ範囲が特定の閾値よりも大きく、且つ端末装置のネットワークにアクセスする遅延要件が特定の閾値よりも高い場合、短い第１周期を構成し、又は、ネットワーク装置によってサービスされる端末装置の数が特定の閾値未満であり、且つネットワーク装置によってサービスされるセルの範囲が特定の閾値未満である場合、長い第１周期を構成してもよいが、本願の実施例ではそれを限定しない。
【手続補正３】
【補正対象書類名】明細書
【補正対象項目名】０１１９
【補正方法】変更
【補正の内容】
【０１１９】
選択肢として、本願の実施例では、１つの信号を受信するために使用されるビームは、１つの信号を受信するために使用される空間領域受信フィルタ（Ｓｐａｔｉａｌ  ｄｏｍａｉｎ  ｒｅｃｅｐｔｉｏｎ  ｆｉｌｔｅｒ）と見なされてもよい。１つの信号を送信するために使用されるビームは、１つの信号を送信するために使用される空間領域伝送フィルタ（Ｓｐａｔｉａｌ  ｄｏｍａｉｎ  ｔｒａｎｓｍｉｓｓｉｏｎ  ｆｉｌｔｅｒ）と見なされてもよい。同一の空間領域伝送フィルタによって送信される２つの信号については、これらの２つの信号は空間受信パラメータに対してＱＣＬであると考えられる。
【手続補正４】
【補正対象書類名】明細書
【補正対象項目名】０１９６
【補正方法】変更
【補正の内容】
【０１９６】
選択肢として、いくつかの実施例では、前記通信モジュール５２０は更に、
前記Ｍ１個の時間周波数リソースのうち第２時間周波数リソースよりも遅い時間周波数リソースにおいて前記第１ＳＳＢを検出しないことに用いられ、
前記第２時間周波数リソースは、前記Ｍ１個の時間周波数リソースのうち前記端末装置が前記第１ＳＳＢをＮ１回目検出した時間周波数リソースである。
【手続補正５】
【補正対象書類名】特許請求の範囲
【補正対象項目名】全文
【補正方法】変更
【補正の内容】
【特許請求の範囲】
【請求項１】
信号伝送方法であって、
端末装置は第１キャリアでの同期信号ブロック（ＳＳＢ）グループにおける第１ＳＳＢの第１周期内での複数の候補時間周波数リソースを取得することと、
前記端末装置は第１時間周波数リソースにおいて前記第１ＳＳＢを受信するように、前記端末装置は複数の前記候補時間周波数リソースにおける１つの又は複数の時間周波数リソースにおいて前記第１ＳＳＢを検出し、前記第１時間周波数リソースは複数の前記候補時間周波数リソースにおける１つの時間周波数リソースであることと、を含むことを特徴とする信号伝送方法。
【請求項２】
前記端末装置は、前記第１周期内において前記ＳＳＢグループにおける各ＳＳＢの最大伝送回数は１であることを確定することを特徴とする請求項１に記載の方法。
【請求項３】
前記方法は更に、
前記端末装置が、複数の前記候補時間周波数リソースのうち前記第１時間周波数リソースよりも遅い時間周波数リソースにおいて前記第１ＳＳＢを検出しないことを含み、前記第１時間周波数リソースは複数の前記候補時間周波数リソースにおいて前記端末装置が一回目に前記第１ＳＳＢを検出した時間周波数リソースであることを特徴とする請求項１又は２に記載の方法。
【請求項４】
複数の前記候補時間周波数リソースはＭ個の時間周波数リソースを含み、前記第１周期はＭ個のサブ周期を含み、前記Ｍ個のサブ周期のそれぞれは前記Ｍ個の時間周波数リソースのうちの１つの時間周波数リソースを含み、前記Ｍ個のサブ周期は前記Ｍ個の時間周波数リソースに一対一対応することを特徴とする請求項１〜３のいずれか一項に記載の方法。
【請求項５】
前記Ｍ個の時間周波数リソースにおける各時間周波数リソースは、前記Ｍ個のサブ周期の各サブ周期内において、位置が同じであることを特徴とする請求項４に記載の方法。
【請求項６】
前記端末装置はネットワーク装置から送信された指示情報を受信し、前記指示情報は前記第１周期内に前記ＳＳＢグループにおける少なくとも１つのＳＳＢの情報を送信するように前記ネットワーク装置に指示することに用いられることを特徴とする請求項１〜５のいずれか一項に記載の方法。
【請求項７】
前記指示情報は前記ＳＳＢグループにおける少なくとも１つのＳＳＢのビーム識別子を指示することに用いられることを特徴とする請求項６に記載の方法。
【請求項８】
同じビーム識別子に対応する二つのＳＳＢの空間受信パラメータは疑似コロケーション（ＱＣＬ）関係を満たすことを特徴とする請求項７に記載の方法。
【請求項９】
前記方法は更に、
前記端末装置が前記指示情報に基づいて、データ受信時に前記ＳＳＢグループにおける少なくとも１つのＳＳＢに対してレートマッチングを行うことを含むことを特徴とする請求項６〜８のいずれか一項に記載の方法。
【請求項１０】
信号伝送方法であって、
ネットワーク装置は第１キャリアを検出し、検出結果に基づいてチャネル使用権を取得する第１時間周波数リソースを確定し、前記第１時間周波数リソースは前記第１キャリアでの同期信号ブロック（ＳＳＢ）グループにおける第１ＳＳＢの第１周期内での複数の候補時間周波数リソースにおける１つの時間周波数リソースであることと、
前記ネットワーク装置は前記第１時間周波数リソースによって、端末装置に前記第１ＳＳＢを送信することと、を含むことを特徴とする信号伝送方法。
【請求項１１】
前記ネットワーク装置は、前記第１周期内において前記ＳＳＢグループにおける各ＳＳＢの最大伝送回数は１であることを確定することを特徴とする請求項１０に記載の方法。
【請求項１２】
前記方法は更に、
前記ネットワーク装置が、複数の前記候補時間周波数リソースのうち前記第１時間周波数リソースよりも遅い時間周波数リソースにおいて前記第１ＳＳＢを送信しないことを含み、前記第１時間周波数リソースは複数の前記候補時間周波数リソースにおいて前記ネットワーク装置が一回目に前記第１ＳＳＢを送信する時間周波数リソースであることを特徴とする請求項１０又は１１に記載の方法。
【請求項１３】
複数の前記候補時間周波数リソースはＭ個の時間周波数リソースを含み、前記第１周期はＭ個のサブ周期を含み、前記Ｍ個のサブ周期のそれぞれは前記Ｍ個の時間周波数リソースのうちの１つの時間周波数リソースを含み、前記Ｍ個のサブ周期は前記Ｍ個の時間周波数リソースに一対一対応することを特徴とする請求項１０〜１２のいずれか一項に記載の方法。
【請求項１４】
前記Ｍ個の時間周波数リソースにおける各時間周波数リソースは、前記Ｍ個のサブ周期の各サブ周期内において、位置が同じであることを特徴とする請求項１３に記載の方法。
【請求項１５】
前記ネットワーク装置は前記端末装置に指示情報を送信し、前記指示情報は前記第１周期内に前記ＳＳＢグループにおける少なくとも１つのＳＳＢの情報を送信するように前記ネットワーク装置に指示することに用いられることを特徴とする請求項１０〜１４のいずれか一項に記載の方法。
【請求項１６】
前記指示情報は前記ＳＳＢグループにおける少なくとも１つのＳＳＢのビーム識別子を指示することに用いられることを特徴とする請求項１５に記載の方法。
【請求項１７】
同じビーム識別子に対応する二つのＳＳＢの空間受信パラメータは疑似コロケーション（ＱＣＬ）関係を満たすことを特徴とする請求項１６に記載の方法。
【請求項１８】
前記方法は更に、
前記ネットワーク装置が前記指示情報に基づいて、データ送信時に前記ＳＳＢグループにおける少なくとも１つのＳＳＢに対してレートマッチングを行うことを含むことを特徴とする請求項１５〜１７のいずれか一項に記載の方法。
【請求項１９】
請求項１〜９のいずれか一項に記載の方法を実行することに用いられるモジュールを含むことを特徴とする端末装置。
【請求項２０】
請求項１０〜１８のいずれか一項に記載の方法を実行することに用いられるモジュールを含むことを特徴とするネットワーク装置。
【国際調査報告】
2021517416.tif 000010
2021517416.tif 000011
2021517416.tif 000012
2021517416.tif 000013